(57)【要約】【課題】幼い子供達にラケット競技希望の道を切り開く、成人競技者と同様な環境を活躍できるように、幼い子供達の発達段階による７段年齢段階をプラス成人段合計８段階設けられ、年齢段階によるサイズ段差付けされた８本ソフトバドミントンラケットをセットで提供する。【解決手段】２歳子供から成人まで全て対応出来る８サイズの２歳用１１ＬＷ／１２Ｕ・３歳用１０ＬＷ／１１Ｕ・４歳〜５歳用９ＬＷ／１０Ｕ・６歳〜７歳用８ＬＷ／９Ｕ・８歳〜９歳用７ＬＷ／８Ｕ・１０歳〜１１歳用６ＬＷ／７Ｕ・１２歳〜１７歳及び成人女性用５ＬＷ／６Ｕ・成人男性用５ＬＷ／５Ｕでのソフトバドミントンラケットに増減対策及び軽薄短小化での構成要素を具備する。【選択図】図１７
2020048787.tif 000002
【特許請求の範囲】
【請求項１】
ソフトバドミントン用ソフトバドミントンラケットセットであって、
幼い子供の発達段階に於いて、２歳〜５歳の幼児期に遊びながら興味を持たせる段階のため、使用のラケットは、製造原価が安い強化プラスチックやポリプロピレン（ＰＰ）素材等で成形し、ラケット競技活動を始められる６歳から成人競技者まで使用の競技用ラケットがカーボン素材を使用に製造する事と、を有し、
幼い子供達の成長に伴い、ラケットのサイズも変わる為、ラケットを８段サイズ設けられ、年齢に対応の目安サイズは、
２歳用１１ＬＷ／１２Ｕ・３歳用１０ＬＷ／１１Ｕ・４〜５歳用９ＬＷ／１０Ｕ・６〜７歳用が８ＬＷ／９Ｕ・８〜９歳用が７ＬＷ／８Ｕ・１０〜１１歳用が６ＬＷ／７Ｕ・１２〜１７歳が成人女性と同じ５ＬＷ／６Ｕ・成人男性が５ＬＷ／５Ｕサイズと、８サイズを備える、
ことを特徴とするソフトバドミントンラケットセット。
【請求項２】
請求項1記載でのＰＰ素材製の１１ＬＷ／１２Ｕと１０ＬＷ／１１Ｕ及び９ＬＷ／１０Ｕサイズソフトバドミントンラケットであって、
ＰＰ素材製のストリングを有する楕円状ヘッドフレーム部を、軽さとしなり性能に優れるＨ形状に成形されると、を有し、
前記ヘッドフレーム部に接合された先端が細く尾端が太い形状のシャフト部が、軽さと復元力に優れるＨ形状に成形され、
シャフト部に接合された八角形筒状グリップ部に軽くする為中空状を設けられると、を備え、
更に、柔軟なクッションと緩衝性能を持つ発泡ゴムグリップカバー部を設けられると、を備える、
ことを特徴とするＰＰ素材製ソフトバドミントンラケット。
【請求項３】
請求項１記載のカーボン素材製の競技用ソフトバドミントンラケットであって、
前記ラケットは、従来のバドミントンラケットの製造素材及び製造技術を用い製造され、６歳以上の年齢段階に応じて、設けられた８ＬＷ／９Ｕ・７ＬＷ／８Ｕ・６ＬＷ／７Ｕ・５ＬＷ／６Ｕ・５ＬＷ／５Ｕの５サイズラケットの外形寸法が、８ＬＷ／９Ｕ・７ＬＷ／８Ｕ・６ＬＷ／７Ｕの３サイズラケットを段別に短縮し、ヘッドフレームにも設けられた段別に縮小の対策を有し、
前記５サイズ全てのヘッドフレームの内部空間が同一内径寸法に設けられ、
前記５サイズラケットのヘッドフレームの重さを軽減する為に、５ＬＷ／６Ｕから一段ずつ肉厚を薄くに設けられと、を有し、
前記５サイズラケットのフレーム内径と肉厚さによる大きいサイズから小さいサイズへ外径が一段ずつ細くに形成されたでのフレームと、を備え、
前記ヘッドの網状打球面の網目を拡大する為に、５ＬＷ／５Ｕと５ＬＷ／６Ｕサイズラケットが、従来のバドミントンラケットよりグロメットが減少傾向に設けられ、６ＬＷ・７ＬＷ・８ＬＷサイズのヘッドフレームサイズの段別による、グロメットが一段ずつに段段減少されに設けられ、
前記グロメットの減少事による、縦向きと横向きのストリングの本数がグロメットの個数によって、サイズ段別に減少されと、を備え、
前記のストリングの減少による縦と横ストリングが交差に編み形成出来た正方形網目が、大サイズから小サイズへ段々拡大のような編み目網状打球面を形成されと、を有し、
前記５ＬＷ／５Ｕサイズラケットのヘッドフレーム先端の中空内部に３〜７ｇの軟質鉛の重りを配置する事による、成人男性用ラケットのハンマー部を形成される事と、を備える、
ことを特徴とするカーボン素材製５サイズの競技用ソフトバドミントンラケット。
【請求項４】
請求項１と請求項３記載のカーボン素材製の競技用ソフトバドミントンラケットであって、
前記５サイズのラケットは、環状ヘッドを支持するシャフトの内径が全て同一寸法に設けられと、を有し、
ラケットの重さを小サイズへ段別軽減為に、シャフトの肉厚さを、５ＬＷ／５Ｕのサイズの肉厚からを一段ずつ薄くに設けられと、を有し、
前記シャフトの内径とサイズ段別の肉厚による、シャフトの外径寸法を段別に細くに形成されと、を有し、
シャフトの長さに対して、６ＬＷ・７ＬＷ・８ＬＷサイズのシャフトがサイズ段別に応じて短く設けられ、
前記５サイズラケットのシャフト軸方向の先端（ラケットの頸部位）に、楕円形状部分を形成されているシャフトの特殊治具丸芯棒と楕円形成加圧器による楕円形状に変形させ、楕円形状の短径軸が両面打球面に向き方向で設けられた曲げ弾性頸部と、を備える、
ことを特徴とするカーボン素材製５サイズの競技用ソフトバドミントンラケット。
【請求項５】
請求項１と請求項３乃至請求項４記載のカーボン素材製の競技用ソフトバドミントンラケットであって、
ラケットを操作するグリップ部の前半部分の偏形八角棒の対角面の４面横幅を狭くさせる事による、打球面側２面と側面側の２面平面横幅が広くになり、グリップの先端から約３分の２の処に削る加工による八面横幅が狭くになる為細くに形成され、
中間部位が細い事による前半部の中間に大きく隆起形状を形成されと、を有し、
グリップのエンド部位が、前半部により大きく隆起形状を形成為二段隆起のような曲線形状を具備する、
ことを特徴とするカーボン素材製５サイズの競技用ソフトバドミントンラケット。
【発明の詳細な説明】
【技術分野】
【０００１】
本発明は、ソフトバドミントンラケットに関するものである。しかも、バドミントンのシャトルやバドミントンスカッシュのシャトルにも対応できるものである。
【背景技術】
【０００２】
現在は、ラケットスポーツ競技テニスやバドミントンがスカッシュ等広く普及している。２０１６年新しく発明されたスポーツ競技ソフトバドミントンが専用ラケットいない為に、バドミントンラケットを使用している≪先行文献１に開示され内容がある）。このようなバドミントンラケット一般的に、シャフトの一端に扁平形の八角形真直ぐ棒状グリップが連結され、シ ャフトの他端にミディアムアイソメトリック型のヘッドが連結され、ヘッドフレームに多数ストリングを通す孔にグロメットを嵌る。そして、フレーム内に、縦方向に沿うストリングが横方向に間隔を空けて複数並び、横方向に沿うストリングが縦方向に間隔を空けて複数並ぶストリングが交差に均等な編み目張られることで、網状の打面が形成される。たとえば先行技術文献の特許文献２・３・４及び非特許文献１に開示され内容がある。
【先行技術文献】
【特許文献】
【０００３】
【特許文献１】特開２０１７−３８７５４号公報
【特許文献２】実登第３０４７５１９号公報
【特許文献３】特開２００１−７０４８１号公報
【特許文献４】特開２００４−２１５８５２号公報
【特許文献５】特表２００６−５１０３９５号公表
【非特許文献】
【０００４】
【非特許文献１】富山県初!! バドミントンブランド「ＦＯＲＺＡ〜フォーザ〜」
【発明の概要】
【発明が解決しようとする課題】
【０００５】
先行文献１記載いるスポーツ競技≪ソフトバドミントン用ソフトシャトル≫開発以来専用ラケットいなかった為バドミントンラケットを使用しております。ソフトバドミントンは、直径４０〜７０ｍｍのスポンジボール、そのようなスポンジボールに複数リボン羽根を付ける出来たソフトバドミントンシャトルを用いのようなラケット競技。スポンジ球体が軽くて大きく柔らかくの特徴に対応するソフトバドミントンラケットが必要となっている。
【０００６】
バドミントンラケットと言えば、素材の改良や製造技術の工夫が数十年間研究続くによる日進月歩に進化されています。大人のバドミントン愛好者に高剛性・高反発力・耐久性・優れた強度・軽量化、操作性が優れられ機敏なラケットが提供されと言います、現行のラケットが殆ど２〜５Ｕ、７５〜９４ｇ前後の重さで、大人の為更に軽量化要求され、最近素材の強化や軽量化の工夫により６Ｕのラケットにも開発されている。ラケットの全長と全幅サイズがバドミントン規則による統一している。つまり最高の素材や最先端の製造技術が全て成人競技者為にバドミントンラケットを製造されている。  しかし今まで小学低学年生のバドミントン競技者に適正のラケットを対応されなかった。
【０００７】
幼児にスポーツ興味を持たせる為に現在バドミントンラケット玩具よく見られますが、ほとんど卓球ラケットのようなイメージです、バドミントンのイメージなる物が重すぎるやラケットのシャフトが短くて、硬い過ぎる反弾力利用出来ず、大きすぎるヘッドが幼い達にとっては、まるで大人がテニスラケットでバドミントンシャトルを打つような感覚です。幼児にバドミントン興味を引き出すから成人競技者まで導きの為に、幼児の発達段階に応じて適正サイズセットラケットが必要となる。
【０００８】
また、バドミントンラケットのシャフトが曲げ剛性強過ぎると、一方にしなり発揮し難しいと言う問題があり、打撃時の振動及び共振を抑制減衰しない、シャトルを打撃した時の衝撃力を手に伝えるようにさらに、打撃時の共振が長時間に亙って振動し続けると、プレーヤーの手に振動を与えるばかりか、長期の使用によりテニス肘等の障害を引き起こすといった恐れがある。
また、しなり性能いないと反弾力発揮出来ない問題が周知な普通常識であり、この問題を解決ために無数専門家や業者が研究されている。例えば先行特許文献２と３に開示内容であり、文献２の発明について、やく１９９７年前後ごろ初代ガボンシャフトラケットＲＯＯＴＳ  ＧＡＶＵＮ  ＡＥＲＭＥＴ６００（ルーツガボンアーメット６００）が登場。
私が約２００１年頃購入しているガボンシャフトラケット (ＧＯＳＥＮ ＧＡＶＵＮ ＴＩＴＡＮ ３５００) ３Ｕ５が現在また大事に使用している。ラケットのデザイン美しくって好きでした。ラケット頸処確かに１０ｍｍ長さの外径細い部分があって、でもシャフトの中間部位により硬い曲げ変化しません、曲げ弾力発揮出来ない問題がある。
【０００９】
また、先行特許文献３について、ラケット頸部に強化リング付けるとシャフト内腔後部に長さ１００ｍｍの補強嵌め管挿入ことで、シャフト後部剛性度増強により、変曲点部位を前へ移動できて、弾性力少しアップ事になるかも知れませんが、変曲範囲縮小事で曲げ剛性を増強出来る事と思われますが、つまり反弾力が曲げ変曲復元の反弾による出来たことです。いわゆる、シャフトに力を加わったとき、シャフトの曲げ変化の数値大きいが反弾力にも大きくになるとの因果関係と思います。文献３がシャフトの曲げ変化の数値上がれなかった為弾性力大きく増強出来ません、しかも重量増加の問題がある。
【００１０】
また、バドミントンラケットのグロメット（ストリングを通す部品）の使用数は一般的に７６箇所、網状打球面の縦ストリングが２２本、横ストリングが２３本となっている。一方、非特許文献１の富山県初!! バドミントンラケットＦＯＲＺＡは、グロメット２０箇所多い９６箇所、打球面縦ストリング２４本、横２７〜２８本となっている。孔多いため破損し易い、丈夫製品する為ヘッドムレームの肉厚さで補強する事で重さ軽減出来ない問題がある。
また、多くのグロメット使用ため重さ増加、ヘッドフレームによりはみ出る部分がヘッドフレームの体積増大ため打球際空気抵抗力が微妙大、また、打球面にストリング密布使用ため打球面が板のように硬くなり、シャトルのスピード落ちる。重さにも多少増、スイング際空気切りに抵抗多少大、長時間試合すると肩や肘が手首に負担掛かる事に問題がある。
【００１１】
また、バドミントンラケットグリップが木造主流ですが、合成樹脂筒状グリップにも開発され、材質違いですが形状一緒、中間手握る部位が偏形の八角形真直ぐ棒状、先端がテーパー形状グリップチャップであって、尻端のグリップエンドとの三部構成になっている。（ラケットグリップの形状図が先行特許文献４に開示されている。）百年の間ラケットが進化続くされているのですが、グリップの形状が変化なく原形でそのまま使用されています。
しかし楕円に近い八角形真直ぐ棒状グリップの大鈍角の隆起角が不明確為、手の指先捻でラケット面を左右切り替えでフライトを変化させる細かくの機敏操作し難い、指滑ってミス生じる問題にもある。
グリップ握り方は、大きく分けて、3つに分類され、イースタングリップ、ウエスタングリップ、サムアップと言います、それぞれ握り方の利点と不利点がありますので、激しい試合の中に握り方変えることが、今まで楕円に近い八角形真直ぐ棒状グリップの大鈍角の隆起角が不明確為極めて難しいである。
また、今までのバドミントンラケットのグリップのエンド部分の役割は、ラケットが手から滑り落ちる事を防止に役を果たすが、形状により握る打球には極めて難しい、ラケット操作には殆ど一点握り、フライトを変化しようとする時が手首及び肘の回内運動また回外運動で斜めフェース面を作る必要がある、打球力充分発揮出来ず、長期の使用により手首や肘等の痛みを引き起こすといった恐れがある。
また、先行文献５のテニスラケットのグリップについて、文献提示され図３のグリップ断面図見ると、正方形から作られた八角形状である、テニスに実用出来るのですが、でも本発明がテクニック高める為扁形の八角形状グリップ必要です。
また、エンドの形状が上下潰された様な偏平球体、野球バットのエンドに似ている形状により、手からラケットの滑落の自然防止に役立つですが、このような形状が手握る打球するには出来ないでの問題がある。
【００１２】
また、ジュニア用ラケットについて、最近通信販売されているジュニア用バドミントンラケット二例を提出ご参考に、以下のような内容記載されている。
一）ヨネックス バドミントン ラケット ＭＰ２ＪＲＧ
3歳〜5歳（身長９０センチ〜１１０センチ）対象、レジャー向けジュニア用ラケット。
＊素材／アルミフレーム、スチールシャフト、アルミT型ジョイント 
＊サイズ／４Ｕ(平均８３ｇ)７＊カラー／レッド(００１)＊推奨張力／１４〜１８(ポンド)
二）イグニオ(ＩＧＮＩＯ)〔張り上がり〕ジュニア レジャー用 バドミントンラケット (ＩＧ ＬＩＴＥ−５４) ＊素材：アルミフレーム、スチールシャフト
＊フレームウェイト：９０±１０ｇ＊長さ：５４０ｍｍ＊推奨テンション：１６〜１８ポンド
＊プレースタイル：レジャー用ジュニア
＊２０１６年モデル
上記ジュニア用二例のラケットの総重量が８３ｇと９０ｇであり、大人用のラケットと同じ重さです、ヘッドの大きさが大人用品のサイズです、二例目はシャフト短くだけ、他の箇所変わりませんでした。３〜５歳の幼い子供に無理使用させると手首や肘が肩に負担かかり、早いうちにケガやスポーツ障害を起こす可能性が有る。
【００１３】
前述様々な課題あるですが、しかし、現代社会生活中に幼い子供達に対応された素晴らしい事が沢山います。例えば、自転車業界が子供達の発達段階に応じて適正なサイズ自転車をセットで提供され、幼い子供達が自然の成長の法則に従って、自転車に付けられたサイズを順番に乗って、≪身長８３ｃｍ〜９８ｃｍ（１２インチ）目安年齢２歳〜３歳 、身長９２ｃｍ〜１０７ｃｍ（１４インチ）目安年齢３歳〜５歳 、身長９８ｃｍ〜１１９ｃｍ（１６インチ）目安年齢３歳〜６歳 、身長１０３ｃｍ〜１２５ｃｍ（１８インチ）目安年齢４歳〜８歳 、身長１１１ｃｍ〜１４０ｃｍ（２０インチ）目安年齢５歳〜９歳 、身長１１６ｃｍ〜１４５ｃｍ（２２インチ）目安年齢６歳〜１１歳、身長１２２ｃｍ〜１５１ｃｍ（２４インチ）目安年齢７歳以上≫大人へ成長に行くことが一般常識です。子供時期から年齢と身長伸びるながらサイズによる自転車乗り換えられる事が正しいです。
【００１４】
本発明は、上記様々な事情及び幼い子供達たちのバドミントン環境の実情に鑑みて、本発明者ら幼い子供達にソフトバドミントンの良い環境を提供し、または幼児達にラケット競技興味を引き出し、早期英材育成の為に、ソフトバドミントンシャトルを打撃に適切なソフトバドミントンラケットであり、且つ発達段階の幼い子供達に年齢と身長に応じて使用換えられ８本ラケットをセットで提供しよう、目的とするものである。
【課題を解決するための手段】
【００１５】
≪ラケットのサイズ記号について、例えば１１ＬＷ／１２Ｕを例に説明、Ｌは、全長３２５ｍｍ、Ｗは、幅１３５ｍｍ（ヘッドの幅）、Ｕは、バドミントンラケット総重量の記号に基づき、サイズが５ｇずつ刻みの事です。１２Ｕは４０〜４４ｇです。≫
本発明は、上記課題事情に於いて、目的を達成するため、発明のソフトバドミントン用ソフトバドミントンラケットセットであって、
幼い子供の発達段階に於いて、２歳〜５歳の幼児期に遊びながら興味を持たせる段階のため、使用のラケットは、製造原価が安い強化プラスチックやポリプロピレン（ＰＰ）素材等で成形し、ラケット競技活動を始められる６歳から成人競技者まで使用の競技用ラケットがカーボン素材を使用に製造する事と、を有し、
幼い子供達の成長に伴い、ラケットのサイズも変わる為、ラケットを８段サイズ設けられ、年齢に対応の目安サイズは、
２歳用１１ＬＷ／１２Ｕ・３歳用１０ＬＷ／１１Ｕ・４〜５歳用９ＬＷ／１０Ｕ・６〜７歳用が８ＬＷ／９Ｕ・８〜９歳用が７ＬＷ／８Ｕ・１０〜１１歳用が６ＬＷ／７Ｕ・１２〜１７歳が成人女性と同じ５ＬＷ／６Ｕ・成人男性が５ＬＷ／５Ｕサイズと、８サイズを備える、
ことを特徴とするソフトバドミントンラケットセットが提供される。
【００１６】
また、上述の発明に於いて、ＰＰ素材製の１１ＬＷ／１２Ｕ・１０ＬＷ／１１Ｕ・９ＬＷ／１０Ｕサイズラケットであって、
ＰＰ素材製のストリングを有する楕円状ヘッドフレーム部を、軽さとしなり性能に優れるＨ形状に成形されると、を有し、
前記ヘッドフレーム部に接合された先端が細く尾端が太い形状のシャフト部が、軽さと復元力に優れるＨ形状に成形され、
シャフト部に接合された八角形筒状グリップ部に軽くする為中空状を設けられると、を備え、
更に、柔軟なクッションと緩衝性能を持つ発泡ゴムグリップカバー部を設けられると、を備える、
ことを特徴とするＰＰ素材製ソフトバドミントンラケット構成とする事が出来る。
【００１７】
また、上述の発明に於いて、カーボン素材製の競技用ソフトバドミントンラケットであって、
前記ラケットは、従来のバドミントンラケットの製造素材及び製造技術を用い製造され、６歳以上の年齢段階に応じて、設けられた８ＬＷ／９Ｕ・７ＬＷ／８Ｕ・６ＬＷ／７Ｕ・５ＬＷ／６Ｕ・５ＬＷ／５Ｕの５サイズラケットの外形寸法が、８ＬＷ／９Ｕ・７ＬＷ／８Ｕ・６ＬＷ／７Ｕの３サイズラケットを段別に短縮し、ヘッドフレームにも設けられた段別に縮小の対策を有し、
前記５サイズ全てのヘッドフレームの内部空間が同一内径寸法に設けられ、
前記５サイズラケットのヘッドフレームの重さを軽減する為に、５ＬＷ／６Ｕから一段ずつ肉厚を薄くに設けられと、を有し、
前記５サイズラケットのフレーム内径と肉厚さによる大きいサイズから小さいサイズへ外径が一段ずつ細くに形成されたでのフレームと、を備え、
前記ヘッドの網状打球面の網目を拡大する為に、５ＬＷ／５Ｕと５ＬＷ／６Ｕサイズラケットが、従来のバドミントンラケットよりグロメットが減少傾向に設けられ、６ＬＷ・７ＬＷ・８ＬＷサイズのヘッドフレームサイズの段別による、グロメットが一段ずつに段段減少されに設けられ、
前記グロメットの減少事による、縦向きと横向きのストリングの本数がグロメットの個数によって、サイズ段別に減少されと、を備え、
前記のストリングの減少による縦と横ストリングが交差に編み形成出来た正方形網目が、大サイズから小サイズへ段々拡大のような編み目網状打球面を形成されと、を有し、
前記５ＬＷ／５Ｕサイズラケットのヘッドフレーム先端の中空内部に３〜７ｇの軟質鉛の重りを配置する事による、成人男性用ラケットのハンマー部を形成される事と、を備える、
ことを特徴とするカーボン素材製5サイズの競技用ソフトバドミントンラケット構成とする事が出来る。
【００１８】
また、上述の発明に於いて、カーボン素材製の競技用ソフトバドミントンラケットであって、
前記５サイズのラケットは、環状ヘッドを支持するシャフトの内径が全て同一寸法に設けられる事を有し、
シャフトの肉厚さは、５ＬＷ／５Ｕのサイズが１.２ｍｍの肉厚さを設けられ、以下は、重さをサイズ段別軽減為に、一段ずつ薄くに設けられたシャフトの肉厚みと、を有し、
前記シャフトの内径とサイズ段別肉厚による、外径寸法段別細くに形成されるシャフトを有し、
シャフトの長さに対して、６ＬＷ・７ＬＷ・８ＬＷサイズのシャフトがサイズ段別に応じて短く設けられ、
前記５サイズラケットのシャフト軸方向の先端（ラケットの頸部位）に、楕円形状部分を形成されているシャフトの特殊治具丸芯棒と楕円形成加圧器による楕円形状に変形させ、楕円形状の短径軸が両面打球面に向き方向で設けられた曲げ弾性頸部と、を備え、
ことを特徴とするカーボン素材製５サイズの競技用ソフトバドミントンラケット構成とする事が出来る。
【００１９】
本発明のカーボン素材製の競技用ソフトバドミントンラケットであって、
ラケットを操作するグリップ部の前半部分の偏形八角棒の対角面の４面横幅を狭くさせる事による、打球面側２面と側面側の２面平面横幅が広くになり、グリップの先端から約３分の２の処に削る加工による八面横幅が狭くになる為細くに形成され、
中間部位が細い事による前半部の中間に大きく隆起形状を形成されと、を有し、
グリップのエンド部位が、前半部により大きく隆起形状を形成為二段隆起のような曲線形状を具備する、
ことを特徴とするカーボン素材製５サイズの競技用ソフトバドミントンラケットを構成とすることが出来る。
【発明の効果】
【００２０】
本発明のプラスチック製ラケットが小型、軽い、操作し易い、しなりに優れている事、発泡ゴムグリップカバーが柔軟なクッションを有し、緩衝特性を持つ等の特徴により幼い子供達に好印象を植え付ける事により、幼い子供達が遊びながら競技の興味を引き出し、夢を持たせ、早期英才教育にとって良い効果を奏する。
【００２１】
なお、発達段階の幼い子供達のどの年齢にもラケットセットのサイズに合わせて使用に換えられ事が出来、ラケットの重すぎる事やシャフトの硬過ぎる事、ヘッドが大き過ぎ事による嫌な気持ち及び手首、肘、肩、の怪我事を無くし、楽しくスポーツの活動出来るにようにする事で普及が加速出来る。
【００２２】
また、ラケットがソフトバドミントン競技だけてはなく、バドミントンスカッシュ競技やバドミントン競技等にもふさわしい、幼い子供達バドミントンの環境改善に対して良い効果を奏する。
【００２３】
カーボン製ソフトバドミントンラケットヘッドのグロメット減少事で軽くなるだけではなく、ヘッドフレームの耐久性にも優れる。または成人男性用ラケットヘッドムレーム先端にハンマー部設ける事による打球の威力を大きく増強出来る。
【００２４】
ストリング減らす事による、硬い打球面がしなり打球面に変り、反発力増加、空気抵抗の低減によりスイング時間短縮になり、シャトルのスピード増速ことが出来る。
本発明のラケットはバドミントンに使用の場合、網状打球面の網目の大さが１０ｍｍの正方形により、カット打球技に運用時かかるシャトルコックの面が打球面網目に入り込み部分が大きい為スパイク性能を大きく発生し、斜線型変化フライトにより大きく幅変化させる事出来る。
なお、ヘアピンショット運用の至難技について、ラケットを水平で軽くて横切るシャトルを回転させ、スピンネットでネットにぎりぎり越えて垂直落とすにより効果的、打球面網目大きい事によるもっと良い効果を上げられる。
【００２５】
ラケット曲げ弾性頸によるしなりが大きく増幅、打撃時の振動及び共振を抑制減衰し、衝撃力も遮断されプレーヤーの手に伝わり難くい為手首や肘の負担が軽減できる。
また、曲げ弾性頸がシャフトの最先端に設けられことで、シャフトの湾曲範囲が先端部位へ一点に絞られ、操作性能をもっと高められる。更に、反弾力が大きく増強する事により、高反発な打球が可能になる。
【００２６】
二段隆起の曲線形状２点操作多機能をグリップ部に設けられることで、親指と人差し指、中指の指腹でグリップを捻って、打球面を自由自在に変換機敏的な操作事が簡単にできる、グリップのエンド部位が扁形の八角形大きく隆起形状により２点握る操作可能となっている。スマッシュ際手の力を加えるエンド部と作用点の打球面の距離が延長され、打球パワーを一層より高める事が出来る。
特に、５ＬＷ／５Ｕサイズの成人男性用ラケットのハンマー打撃力をプラス曲げ弾性頸の高弾性、パワーエンド部のパワー威力により爆発打撃力を実現できる。
【図面の簡単な説明】
【００２７】
≪本発明は、全セット８本ラケットの中は、ＰＰ素材製の２歳用、３歳用、４〜５歳用の３本とカーボン素材製の６〜７歳用、８〜９歳用、１０〜１１歳用、１２〜１７歳及び成人女性用、成人男性用での５本を有している、ＰＰ素材製３本は、構造様式同じ為２歳用１１ＬＷ／１２Ｕサイズのラケットの図面を代表に提出、３歳と４〜５歳用ラケットの図面を省略にとする。または５本カーボン素材製ラケットは、構造様式同じ為成人男性用５ＬＷ／５Ｕサイズラケット図面を代表図として提出、他の４サイズラケット図を省略にとする。≫
【図１】図１は本発明に係るポリプロピレンや強化プラスチック等（ＰＰ）素材による成形された３種サイズラケットの代表図、１１ＬＷ／１２Ｕ図面、ラケットの構成を示す正面図である。
【図２】図１のラケットに於けるラケットの側面から見た状態の各部厚さを示す側面図である。
【図３】図１のラケットに於けるヘッドフレーム部２１―ＡのＨ形状断面から各部位寸法を示す図である。
【図４】図１のラケットに於けるＨ形状シャフトの先端部と尾端部の断面寸法説明図である。
【図５】図１のラケットに於けるグリップ筒状体部とエンド部分解状態を示す正面斜視図である。５−２は製筒状体の断面寸法を示す。
【図６】図１のラケットに於けるグリップ筒状体とエンド嵌合した状態を説明している。
【図７】図１のラケットに於けるグリップ筒状体部と筒状発泡ゴムカバー部嵌合した状態における縦断面図である。７−２は、グリップ真直ぐ部分横断面図。７−３はグリップ発泡カバーエンド部の底面断面寸法である。
【図８】図１のラケットに於けるグリップ部完成いる状態における平面斜視図である。≪以下第二実施例に係るカーボン素材製ラケット図面≫
【図９】本発明に係るカーボン素材製ラケット構成を示す正面図である。
【図１０】は、図９のラケットに於けるラケット側面図及び図１０−２ヘッド部の構成を説明する正面図である。図１０−３〜１０−５は、男性成人用ハンマー部の構成を説明している。
【図１１】は、図９のラケットに於けるラケット頸部位曲げ弾性を具備しているシャフト先端に設けられ曲げ弾性頸部図、１１−１正面図、１１−２曲げ弾性頸部の上空図、１１−３側面図、１１−４曲げ弾性頸部の断面を示すである。
【図１２】は、図９のラケットに於けるシャフトを進化させる必要の特殊な治具≪芯棒≫の形状を示す図面です。正面図の１２−１と側面図の１２−２を有し、また、延長芯棒を示すには、図の１２−３と図の１２−４である。
【図１３】は、図９のラケットに於けるシャフトの治具芯棒による曲げ弾性頸部の形成方法を示す手順図、１３−１、１３−２、１３−３、１３−４が説明している。
【図１４】図９のラケットに於ける楕円形曲げ弾性頸部を形成させ必要の特殊治具≪楕円形成加圧器≫による、楕円形の曲げ弾性頸部の形成加工工程を示す、１４−１、１４−２、１４−３、１４−４、１４−５である。
【図１５】は、図９のラケットに於ける攻守兼備グリップ部の二段隆起の曲線形状を示す正面の１６−１と側面の１６−２である。
【図１６】は、図９のラケットに於ける機敏的操作機能と打撃パワー機能を具備する攻守兼備グリップ部平面斜視図及び二段隆起部断面寸法１７−２と１７−３である。
【図１７】は、図９のラケットに於けるラケットの曲げ弾性頸部に、外力加えた発生するしなり状態を示すラケット側面図である。
【発明を実施するための形態】
【００２８】
本発明の実施形態に係るソフトバドミントンラケットセットは、１７枚の図面に於いて実施され、８本ラケット構成のセットが二種類素材を用い二種類ラケットを製造され、製造方法が全く違う為、発明を実施するための形態を二部に分けられ、実施例１に係るＰＰ素材製ラケットの構成事を図１から図８までに於いて説明する。実施例２に係るカーボン素材製競技用ラケットの構成事を図９から図１７までに於いて説明する。なお、ＰＰ素材製ラケット１０と、カーボン素材製ラケット１００とを有しているが、以下実施例１説明では、先ずラケット10について説明し、その後に実施例２でラケット１００について説明する。
【実施例１】
【００２９】
≪本実施形態に係るラケット１０の構成の概要≫
ラケット１０の構成が図１の正面示すように、ソフトバドミントンラケット１０は、ヘッド部２０と、シャフト部３０と、グリップ部４０とを有している。
本実施に係る１０のソフトバドミントンラケットは、ポリプロピレンや強化プラスチック（ＰＰ）等素材等に使用、金型を用い圧縮成形や真空成形等様々工法による成形できるラケットである、ストリングを有する楕円状ヘッド部２０の下方部位に、連結役Ｔ三角形ジョイントを用いシャフト部３０の先端部と接合され、シャフトの尾端部にショルダー部を用いグリップ部４０と連結されている。
また、グリップに、エンド部位大きく八角面膨出形状の発泡ゴム製グリップカバー部着装ことで、三種類サイズの２歳用１１ＬＷ／１２Ｕ・３歳用１０ＬＷ／１１Ｕ・４〜５歳用９ＬＷ／１０Ｕでのソフトバドミントンラケットを構成されている。
【００３０】
上述ラケット１０の構成の概要のように、２歳用１１ＬＷ／１２Ｕ・３歳用１０ＬＷ／１１Ｕ・４〜５歳用９ＬＷ／１０Ｕでのソフトバドミントンラケットのサイズ下表の記載通り。
2020048787.tif 000003
前記２歳から５歳まで４年齢段階に３サイズラケット対応しているですが、もう一本追加して４本にするでも良い。全長が３２０〜４７５ｍｍまでの長さ間に４サイズの長短を調整する。例えば、３２５、３７５、４２５、４７５ｍｍのような４サイズ長さでも良い。
【００３１】
≪本実施のグリップのＰＰ筒状体部が発泡ゴムグリップカバーを装着の完成品部との区別の為、グリップＰＰ筒状体各部の番号に―Ｂを付けられている。≫
本発明に係るＰＰ素材製ラケット図１〜図８に於いて、ラケット１０について詳細的に説明する、本実施の形態では、２〜５歳の子供達が遊び感覚でラケット競技に興味を持たせる為、ラケットの製造では、しなりと復元要素を具備するＰＰ素材を選択し、手首や肘に負担がかからないように、小型ラケットにとする。年齢段階に応じて三種類サイズを設けられ、同じ構造為９ＬＷ／１０Ｕと１０ＬＷ／１１Ｕのサイズの説明を省略にとする（各部のサイズ一覧表を提出てある）、１１ＬＷ／１２Ｕのサイズを図面に於いて詳細に説明する。
図１示のように、２歳用１１ＬＷ／１２Ｕサイズでは、全長約３２５ｍｍ、（全長に適当でマイナスまたプラス調整でも良い）総重量４０〜４４ｇ。ヘッド部２０は、Ｌ１５０ｍｍ×Ｗ１３５ｍｍの楕円形状となっている。フレーム部２１−Ａ（打球面枠）の特徴とするＨ形状の凹形溝部２２が楕円形ヘッドフレーム部の両打球面に向いている、両面２本凹形溝２２の両側４本フランジ部２１があり、Ｈ形状のウェブ部２６が打球面と平行している。フレーム部２１−Ａの幅（Ｗ）６ｍｍとなっている。このＨ形状フレームが丸パ形状イプフレームにより強度やしなり性能が優れている。（Ｈ形状の断面寸法は図３示す）
ヘッド部２０の楕円形フレーム２１―Ａの中に、同時成形された、５本縦ストリング２３及び６本横ストリング２４と共に有している、ストリングが打球面に平行方向の幅（Ｗ）約１.５ｍｍ位、交差方向の厚さ（Ｔ）は約３.０ｍｍ位、縦と横ストリングを交差成形される正方形の２１ｍｍの網目と、を備える打球面が構成されている。
３歳用１０ＬＷ／１１Ｕと４〜５歳用９ＬＷ／１０〜８Ｕのヘッド構成の各部サイズ一覧表が記載ある。
2020048787.tif 000004
【００３２】
また、ヘッド部２０とシャフト先端部３０−Ｅの接合部位が断裂し易いに対して、増加強度為に、Ｔ字三角形状ジョイント部２５を設けられ、ヘッド部と接合のジョイント２５の上辺が打球面と平行の横幅は３５ｍｍ位良い、縦軸方向へ長さ２０ｍｍ位を好ましい、（１０ＬＷ／１１Ｕと９ＬＷ／１０Ｕのジョウイントサイズは、表３記載ある。）シャフトと接続処の太さがシャフトの先端３０−Ｅの寸法に合わせて成形して好ましい。
【００３３】
本発明に係るＨ形状に特徴とするシャフト部３０とは、先端部３０−Ｅがジョイント部２５を経由ヘッド部と繋がる。尾端部３０−Ｇがショルダー部４１―Ｂを経由グリップ部４０と繋がる。シャフト部３０の長さ６５ｍｍとなっている（シャフト部が延長または短くに調整できる）。図１正面図見たように、先端３０−Ｅの幅（Ｗ）８ｍｍ、尾端３０−Ｇの幅（Ｗ）が１１ｍｍ、シャフトの先端幅狭く尾端幅広いような形状を形成され、縦向き両側フランジ部３１の中間が凹形溝部３２形成されている。
2020048787.tif 000005
ＰＰ素材製シャフト部のサイズ一覧表（３）
シャフト成形されたＨ形状の断面寸法が後述の図４に於いて説明する。
【００３４】
また、グリップ部４０とシャフト尾端部３０−Ｇ接合には、違う太さ解消するために、長さが１０ｍｍ位八角テーパー形状でのショルダー部４１―Ｂを設けられ、４１―Ｂの尖端の太さが３０−Ｇに合わせする、そしてシャフト部とグリップ部に円滑接合事できる。
また、グリップのショルダー部４１―Ｂの下方に接合された筒状体部４０−Ｂの外部に発泡ゴムグリップカバー部５１を着装し、グリップ部４０が構成される。グリップ部４０が八面平面の横幅相同ではなく、対角面部４３の幅が狭い、打球面と平行の平面部４２の幅が広くになって扁形の八角形状グリップ部４０である。グリップの発泡ゴムカバーのエンド部４４が八方面へ膨出形状を設けられている。  
【００３５】
図２は、ラケット１０の側面見た状態を説明する、ラケット１０であって、フレーム部２１−Ａの厚さ（Ｔ）６ｍｍある事と確認され、フレーム部２１−Ａとジョイント部２５及びシャフト先端部３０−Ｅが同じ厚さで繋がる、シャフト尾端部３０−Ｇがショルダー部４１―Ｂに経由グリップ部４０と繋がる。３０−Ｅの厚みが６ｍｍ位、３０−Ｇの厚みが９ｍｍ位、シャフトの先端が尾端より細い形状を成形され為に、曲げ弾性領域が前方へ移動され、打球スイング際打球面が遅れではなく、スイング瞬間速く打点に到着、パワーにもアップ出来る。グリップ部４０の発泡ゴムグリップカバー部５１の外形見ると本体よりエンド部４４が膨出事を確認されている。
【００３６】
楕円形のＨ形状フレーム部２１−Ａの図３断面図に於いて、Ｈ形状の各部寸法を説明する。図３−１は、正面図ヘッド部の局部図であり、分かる易い為大きく拡大している。２本フランジ部２１の中間が凹形溝部２２と共に有している。図３−２のＷを示すのは打球面と平行方向フレーム部２１−Ａの幅であり、Ｔを示すのはフレーム部２１−Ａ側面の厚みを示す、２１−Ａは約Ｗ６ｍｍ×Ｔ６ｍｍ位なっている、Ｈ形状の両面凹形溝部２２の凹面が打球面へ向き、凹形溝２２が約幅３ｍｍ深さ２ｍｍ、両側が４本フランジ部２１を有し、２１のＷ方向約１.５ｍｍ、中間横ウェブ部２６の厚さ約2ｍｍ位、Ｈ形状の溝設けられた事で軽量になり、強度を有し、またはＨ形状フレームが円筒形状や四角形状により強度高い、撓りと復元性が優れている。（１０ＬＷ／１１Ｕのフレーム２１−ＡのＷ７ｍｍになるためフランジ部２１のＷが２ｍｍにとする。９ＬＷ／１０ＵのＷ８ｍｍとＴが７ｍｍに設けるためフランジ部２１のＷが２ｍｍ良い、凹形溝部２２の幅が４ｍｍまで増幅、深さ２.５ｍｍとなっている。）
【００３７】
図４に於いてシャフト部断面Ｈ形状を説明する、Ｈ形状シャフトは、同じ材質のパイプ状シャフトにより強度高い、撓りと曲げ復元性優れている。
図４によると、打球面と平行する正面幅がＷを示す、交差方向側面厚みがＴを示す、シャフト部３０の先端部３０−Ｅの（ジョイントと繋がる処）太さは、Ｗ８ｍｍ×Ｔ６ｍｍ、Ｈ形状縦フランジ部３１、横ウェブ部３３、凹形溝部３２を有し。フランジ部３１は、Ｗ２ｍｍ×両面は４本、凹形溝部３２は、幅４ｍｍ、深さ２ｍｍ×２両面は２本、Ｈ形状の中間のウェブ厚さ約２ｍｍ位となっている。
シャフトの尾端部３０−Ｇの（ショルダーと繋がる処）太さは、Ｗ１１ｍｍ×Ｔ９ｍｍ位、フランジ部３１の厚２ｍｍ×両面は４本となっている。凹形溝部３２は、幅７ｍｍ、深さ３.５ｍｍ×両面は２本、Ｈ形状のウェブ部３３の厚さ２ｍｍ位。シャフト先端部３０−Ｅ細くて、尾端部３０−Ｇ太いためラケットシャフトの撓り点が先端のヘッド近く処に移動され、シャフトの後部に剛性増強によるラケット操作し易い、パワーにもアップ出来る。柔らかいヘッド頸が打球の撃力を吸収され、幼い子供の手首や肘の負担軽くになる。
１０ＬＷ／１１ＵラケットシャフトＨ形状の各部寸法は、３０−Ｅ、フランジ部３１は、Ｗ２ｍｍ×両面は４本、凹形溝部３２は、幅５ｍｍ、深さ２ｍｍ×２両面は２本、Ｈ形状の中間のウェブ厚さ約２ｍｍ位となっている。３０−Ｇ、フランジ部３１は、Ｗ２ｍｍ×両面は４本、凹形溝部３２は、幅８ｍｍ、深さ４ｍｍ×２両面は２本、Ｈ形状の中間のウェブ厚さ約２ｍｍ位となっている。９ＬＷ／１０ＵのＨ形状の各部寸法は、３０−Ｅ、フランジ部３１は、Ｗ２ｍｍ×両面は４本、凹形溝部３２は、幅６ｍｍ、深さ２.５ｍｍ×２両面は２本、Ｈ形状の中間のウェブ厚さ約２ｍｍ位となっている。３０−Ｇ、フランジ部３１は、Ｗ２ｍｍ×両面は４本、凹形溝部３２は、幅９ｍｍ、深さ４.５ｍｍ×２両面は２本、Ｈ形状の中間のウェブ厚さ約２ｍｍ位となっている。
【００３８】
図５は、グリップ部の構成の実施を説明する。軽量化為にＰＰ製八角形筒形状本体部４０−Ｂに中空部４７を設けられ、筒壁部４６の肉厚約１.５位となっている。ＰＰ製八角形筒形状本体部４０−Ｂの断面寸法とは、図５の５−２断面図を示のように、八角面に対しての寸法は、正面部４２―Ｂ幅が１１ｍｍ×両面、側面部４５―Ｂ幅が９ｍｍ×両面、対角面部４３―Ｂ幅が２.８ｍｍ×四面とのような八角形状なっている。
グリップ部４０―Ｂの先端を長さ１０ｍｍ位のショルダー部（グリップ肩部位）４１―Ｂをテーパー形状成形される為、グリップ部とシャフト部段差ある接合を円滑になる。ヘッド部とシャフト部及びグリップ筒状体部を（エンド部は別に成形する）一体成形されている。    
【００３９】
また、構造上として筒状体部とエンド部を分別に成形し、エンド部４４―Ｂが筒状体内空間部４７へ挿入接合為に差し込み部４８部を設けられ、長さ１０ｍｍ位、差し込み部４８の外径が筒状体の内径とぴたり合致事を望ましい、底面部５０―Ｂの厚さ２ｍｍとを設けられ、エンドの強度高める役割を果たす。
また、グリップカバー部をしっかり付ける為に、筒状体の表面に複数の細かく溝紋様（リブのような紋様でも良い）のようなグリップカバー滑りとめ部４９を設けられている。
上述実施されている別々成形されたグリップの筒状体部とエンド部の嵌合工程が図６実施する、エンド部の差し込み部４８が筒状体の中空部４７の中に挿入嵌合されると、一体状グリップになっている。ＰＰ筒状体部４０−Ｂの長さＬが８０ｍｍとなっている。
【００４０】
図７に於いて、グリップテープを代わりに、４０−Ｂの形状に合わせてぴたり付着出来る発泡ゴム素材製筒形状カバー部５１設けられ、発泡ゴムが弾性持つ、また粘着性能によるカバーと筒状体４０−Ｂ密着付けて脱落し難い、筒状体部４０−Ｂに、発泡ゴムグリップカバー部５１を付けられた状態でのグリップ部４０の縦断面が図７に於いて説明すると、設けられた長い筒状空間部４７と、筒状体部４０−Ｂの縦断面層及び厚さ３ｍｍ（厚さ２ｍｍでも良い）の発泡ゴムグリップカバー部５１と、エンド部４４肉厚５ｍｍ（４４の肉厚さ４ｍｍでも良い）位大きく膨出の縦断面層を共に有し、筒状発泡ゴムカバーエンド部の底面部５０の肉厚が２〜３ｍｍと確認される。
図７の７−２横断面図に於いて、発泡ゴムグリップカバーを着装の完成品八角形筒形状グリップ本体部４０の真直ぐ部分横断面の寸法を説明する。先ずは、手握り真直ぐ部分４面に測ると、Ｗ２１ｍｍ２面×Ｔ１９ｍｍ２面であり、八面に測ると、正面の平面部４２の幅は、１２.４８ｍｍ×両面、側面の平面部４５の幅は、１０.４８ｍｍ×両面、対角面部４３の幅は、５.２３ｍｍ×四面のような発泡ゴムカバー付けられた八角形状グリップ部４０である。（１０ＬＷと９ＬＷグリップ寸法が例表に記載ある。）
【００４１】
図７の７−３に於いて、発泡ゴムエンド部４４の八面膨出の寸法を説明します、発泡ゴムエンド部４４の肉厚５ｍｍ、４面に測ると、Ｗ２９ｍｍ２面×Ｔ２７ｍｍ２面です、八面に測ると、正面の平面部４２の幅は、１７.２ｍｍ×両面、側面の平面部４５の幅は、１５.２ｍｍ×両面、対角面部４３の幅は、８.４ｍｍ×四面のような発泡ゴムエンド部八方面へ膨出外形寸法を設けられている。発泡ゴムエンド部４４がラケット手から滑落の自然防止に役割を果たす。
１１ＬＷ／１２Ｕのラケットのグリップ全長とＰＰ筒、発泡ゴム筒体断面寸法の一覧表、
一覧表表（４−１）２歳用
2020048787.tif 000006
１０ＬＷ／１１Ｕのラケットグリップ全長とＰＰ筒、発泡ゴム筒体断面寸法の一覧表、
一覧表（４−２）３歳用
2020048787.tif 000007
９ＬＷ／１０Ｕのラケットのグリップ全長とＰＰ筒、発泡ゴム筒体断面寸法の一覧表、
一覧表（４−３）４〜５歳用
2020048787.tif 000008
上記グリップ各部寸法例表の説明、Ｗ×Ｔは長方形の寸法、面取り後八角形になる。正面幅は２面、側面幅は２面、対角面が４面での八角面横幅です。
【００４２】
図８を示すように、筒状発泡ゴムグリップカバー部５１がグリップ先端ショルダー部を除く、真直ぐ部分をエンド部まで全体着装され、エンド底面にも２〜３ｍｍ厚さの底面部５０を設けられる。発泡ゴムが反発弾性、柔軟なクッションを有し、ラケットを滑落の自然防止をもたらす。すなわち、ラケットが手から滑り落ちることは基本的には起こらない。
また、緩衝特性を持つ事より衝撃力も遮断され、子供の手に衝撃が伝え難くことによる怪我防止効果を奏する。更に、幼い子供達に好印象を植え付ける事による、ラケットスポーツ遊びが楽しくなり、興味を持つ子供が増えって、スポーツの普及に効果を奏する。
【００４３】
本発明は社会事情に於いて、製造コスト低減の為ＰＰ素材を選択する理由もある。例えば、世の中子供達の要求に応じて、ＰＰ素材をカーボン素材に変更しても良い。カーボンラケットと同じ製造法に変更しても良い。もっと良い効果を奏する。
【実施例２】
【００４４】
≪第二実施例のカーボン素材製５本ラケットについて、≫
本発明がソフトバドミントンシャトルを打撃に適正なカーボン素材製競技用ソフトバドミントンラケットであって、本発明が増減対策、軽薄短小化の主旨に於ける、バドミントンラケットに基づいてジュニア向けて進化させ、６歳〜１２歳幼い子供の発達段階による４段の年齢段階をプラス成人段合計５段階設けられ、年齢段階に応じてラケットを５段サイズ付けされ、各部サイズ違うでも構造上ほぼ同じため、５ＬＷ／５Ｕサイズラケットの図９〜図１７までに於いて、カーボン素材製ラケット１００について説明する。
【００４５】
本実施は幼い子供達の発達段階に応じて、男子成人から６歳までの競技者ラケットを選び目安の参考サイズを５段提供する。
2020048787.tif 000009
上表ラケットサイズでは、バドミントンラケットのサイズに基づき派生出来たものので、バドミントンラケットのサイズは総重量表示する記号ですが、本発明のソフトバドミントンラケットのサイズが違って、重さだけではなく、長さと幅のサイズにも示される。５ＬＷ／５Ｕに例擧すると、Ｌは全長６７５ｍｍです、Ｗはヘッドの幅２０５ｍｍです、５Ｕは、バドミントンラケットの重量サイズ７５〜７９ｇをそのまま使用している。
全長６７５ｍｍの５ＬＷ／６Ｕから８ＬＷ／９Ｕへ３段階同じ段差で一段ずつ段段短縮５０ｍｍ設けている。６歳から１２歳までは４サイズラケットに設けられているですが、もしくは３本を増やして、６、７、８、９、１０、１１、１２歳まで各一本ずつでも良い。
【００４６】
≪ラケット１００について、構成の各部を概略説明。≫
図９は、ラケット１００の構成を示す正面図である。ソフトバドミントンラケット１００は、ヘッド部１２０と、シャフト部１３０と、グリップ部１４０とを有している。
ラケット１００の全長６７５ｍｍ、幅２０５ｍｍとなっている。環状ヘッド部１２０のフレーム部（打球面枠）１２１の肉厚み１.０ｍｍにとする、先端中空内部に軟質鉛の重りを３〜７ｇ程度入れつけることで、（成人男性用ラケットのみ）ハンマーのような打球威力発揮できるハンマー部１２２を形成さてれる。打球面改良為グロメットとストリング減少され、縦ストリング部１２３と横ストリング部１２４がフレーム部１２１へ繋がれていて、そして、交互に交差編み合わせた網状打球面が形成される。
ヘッド部１２０の下端とシャフト部１３０の先端部１３１―Ｆ（図１１シャフト部詳細示すである）繋ぐ為形成されたＴ形状交差点の内部にＴ形状ジョイント部１２５を設けられる（従来バドミントンラケットの強固な接合方法）。接合されたシャフトの先端のラケット頸当たる部位に１５〜３０ｍｍ長さ部分を楕円形に変形させた曲げ弾性頸部１３２が設けられている。
シャフト部１３０の尾端部１３１とラケットを操作するグリップ部１４０接続され、太いグリップ部と細いシャフト部が協和性を見出せる為に、グリップ１４０の先端をテーパー形状形成され、テーパー状部に同様形状のグリップキャップ部１４１を装着され、グリップ本体が扁形の八角形曲線棒形状に形成、前半部の中央部位に、大きく隆起での形状を形成され事による、機敏操作部１４２を設けられている。グリップ腰部位に細くに形成され事による薬指と小指操作部１４５を設けられ、グリップのエンド部が扁形の八角形大きく隆起での形状を形成され事による、パワーエンド部１４６を設けられ、二段隆起曲線形状での二段握り攻守兼備機能を具備するグリップ部１４０が形成される。上述の構成要素を備えてカーボン素材製競技用ソフトバドミントンラケットを構成出来る。
【００４７】
図１０に於いて、ラケットの側面見た状態を概略説明する、フレーム部１２１の側面に上下一例グロメット部１２６と大サイズグロメット１２７が間隔を置いて嵌められている。シャフト１３０の尾端に繋がれているグリップ部１４０の二段隆起曲線形状の側面を確認できる。正面図と比べると、グリップ側面の両面平面部１４９が正面の１４３の横幅より狭い、扁形の八角形状と分かる。
また、エンド底面に付けられエンドキャップ部１４７がエンド端面により周縁１ｍｍの出幅のグリップテープ止めガード部１４８を設けられ、１４７と１４８が硬質プラスチックを用い一体成形となっている。上述の構成要素を備えられるカーボン素材製競技用ソフトバドミントンラケット。
【００４８】
≪一般的なバドミントンラケットの場合は、ヘッドフレームに嵌めるグロメットが７６個を使用し、縦ストリング２２本、横ストリング２３本となっている。≫
図１０の１０−２のヘッド部１２０のサイズについて、５本ラケットを４段サイズに分段され、１２歳〜１７歳及び成人女性用５ＬＷ／６Ｕと成人男性用の５ＬＷ／５Ｕの外形サイズほぼ一緒ですが、ただ構成要素による重さ違うことある。
2020048787.tif 000010
図１０−２に於いて、上附一覧表（６）記載している５サイズのヘッド部１２０の各部構成を参照して説明する。
幼い子供達のどの年齢にも軽いラケットが使えられように、年齢段階に於いて、ラケットを６ＬＷ、７ＬＷ、８ＬＷのように３段分けてヘッド大きさを段別に縮小。ジュニア用４サイズラケットのヘッドフレームの重量を軽減ために、肉厚減少の対策を行う、表（６）のように、成人男性用５ＬＷ／５Ｕが１.０ｍｍ、以下へ段段0.1ｍｍずつ薄くに設けられている。
前記５サイズ全てのヘッドフレーム部１２１の内部空間が同一内径寸法設けられた為に、外形が前記肉厚さによって太さが異なる、大サイズから小サイズへ外形が一段０.２ｍｍずつ段別細くに形成されている。（図示せず。）
ヘッドの縮小と肉厚み薄くになる事、または外形細くになる事によるヘッドフレームが可なり軽くになる事で、軽薄短小化でのラケットを構成出来る。
ラケットの軽薄短小化によるスイング時空気の抵抗を低減出来る。幼い子供達のどの年齢にも使用でき、手首や肘の痛み防止にも良い効果を奏する。
【００４９】
≪図１０の１０−３、１０−４、１０−５に於いて、成人男性用ラケットヘッドのハンマー部１２２の形成方法を説明する≫
図１０−３のように、約５ｇ重さ前後位の軟質鉛を約２ｍｍ弱位厚さで、幅が約７ｍｍ位、長さが約４５ｍｍ位の長方形を成形させ、この長方形鉛板を図１０−３示のように半円形状に曲げ形成し、鉛ハンマー部１２８形成される。
また、ヘッド部１２０の環状フレーム部１２１の形成は、従来な加工法による、熱可塑性の樹脂シートの内側に、加熱され同時に発泡する発泡性樹脂を配置して円筒状に巻いた樹脂シート筒を形成するので、その筒形状をシート巻き形成時に、環状フレームの先端中央位置の内側に当たる部位の発泡性樹脂部１２９縦方向３分の２を減らして、図１０−３のように形成され鉛部１２８を配置して、繊維強化シートを図１０−４のように、１２８と１２９を包って樹脂シート円筒部１２１―Ａを巻き形成される。
前記樹脂シート筒部１２１―Ａを環状に屈曲させて両端部を突き合わせた状態で金型に設置した後、加熱及び加圧することによって、フレーム内で発泡性樹脂１２９を発泡することにより樹脂シート筒が金型に沿うように押し広げられ、フレームを金型に沿った所望の図１０−５示し形状に形成される。同時にフレーム内の鉛部１２８にも金型に沿った形状に固定される。鉛ハンマー部１２８が３〜７ｇの範囲内適当である。
成人男性用５ＬＷ／５Ｕサイズラケットのパワー増強でのハンマー部１２２構成出来る。
【００５０】
また、本発明がラケットのカット打球と打球パワー性能を向上させ対策内の一環として、打球面の網目を拡大する工程では、先ず５ＬＷ／５Ｕと５ＬＷ／６Ｕサイズラケットの網目を１０ｍｍ正方形に設定し、以下のサイズ網目が段別に段段大きくに設けられる。一覧表（６）が各サイズの網目寸法記載ある。（各サイズの網目がもっと拡大へ１ｍｍ〜２ｍｍまで自由に調整設定出来る。但し、ストリングの本数相応に減らすとグロメットの減少配置する事にも合わせて変更の必要となる。）
また、設けられ網目寸法とフレームのサイズによる、グロメット１２６と１２７の配置位置と個数及び縦ストリング部１２３と横ストリング部１２４の本数を決めていく、５ＬＷから８ＬＷまでグロメットの個数及びストリング本数が一覧表（６）の記載通り。図１０の１０−２の環状フレーム部１２１の網状打球面形成について、５ＬＷ／５Ｕサイズに於いて説明する。
５ＬＷ／５Ｕ例にすると、環状フレーム部に嵌められたグロメット部６８個所内に、小さいサイズグロメット部１２６が６０個配置され、２本ストリング通す為８個大サイズグロメット部１２７を設けられていて、合計６８個となっている。縦ストリング部１２３を１８本と横ストリング部１２４が１９本を用い、グロメットの孔を通す折り返し、交互に交差編み合わせ、均等な１０ｍｍ正方形網状打球面が形成されている。
上記打球面の対策によるグロメット減少とストリング減少、網目大きく拡大事で、低年齢にも軽くて速いスピードでスイング出来る。また、大きく、柔らかく、軽くの特徴を持つスポンジ球体と帯状羽根形成されているソフトシャトルを打撃適正なソフトバドミントンラケットセットを構成とする事が出来る。
【００５１】
今までバドミントンラケットシャフトが従来な製造法による、カーボンファイバープリプレグ成形を積層した多層構成出来た中空丸パイプ形状でのシャフトが、剛性が極限まで追求され、一方にしなり難しいと言う問題点があり、一本シャフトが同時に両立性能を発揮するのは極めて難しいという問題がある。
しかし、本発明が楕円形の曲げ弾性頸部１３２設ける事で両立問題を解決し、一本シャフトに剛性としなり性能同時発揮出来てとなっている。
以下図１１・図１２・図１３・図１４に於いて詳細に説明する。
2020048787.tif 000011
カーボン素材製での５サイズのラケットの環状ヘッドを支持するシャフト部１３０の形成方法として、４.６ｍｍ外径の一本金属丸棒状治具芯棒を用い、シートローリング法で形成させるため、各サイズパイプ状シャフトの内径部１３６が全て４.６ｍｍのような寸法に設ける。幼い子供達の発達段階に於ける、ラケットを軽くさせ為に６ＬＷ、７ＬＷ、８ＬＷサイズのシャフト部１３０を表６記載のような段別短くに設けられている。一覧表（７）の記載通り。
また、どの年齢にも軽くに使えられる為、サイズ段別にシャフトの肉厚を減少させ、各サイズ肉厚部１３７の厚寸法が、一覧表（７）記載の通り５ＬＷ／５Ｕから小サイズへ段段０.１ｍｍずつ減少設けられている。
各サイズシャフト内径部１３６の寸法同一為に、肉厚部１３７の厚さによる各サイズシャフトの外径部１３５の寸法が一覧表（７）記載のようなサイズ段別に細くに形成されている。
シャフトの対策による可成り段別に細く、軽くになり、スイング時空気の抵抗を低減出来て、どの様な小さい子にも自由自在で機敏的な操作事ができる。
【００５２】
≪シャフト部１３０が１３２の楕円形を設けるため形状上分段され、先端部１３１−Ｆと、曲げ弾性頸部１３２と、シャフト尾端部１３１との三部になっている≫
本実施に係るシャフト部１３０の先端部１３１−Ｆは、Ｔ字形ジョイントの下端収容ため中空部１３８が設けられ、１３０−Ｆの中空部１３８の内部に収容されるジョイント部下端の隣接部位に、シャフト特殊治具（後述図１２・図１３・図１４に於いて説明する。）による楕円形の曲げ弾性頸部１３２を形成されている。シャフトの肉厚さ不変ため断裂な恐れが全く有りません。楕円の長径部１３３の軸方向が打球面と平行向きに為スイング際左右側への歪み発生しない、バランスがねじれやブレな感覚しません。楕円形の短径部１３４の軸方向が長径軸方向により外力受ける為のひずみに対しての曲げ剛性が弱の原理を利用し、強度高い剛性のシャフトにもしなり性能を生み出し可能です。短径部１３４の軸方向が両打球面方向に向く為、スイング際打球面が前後しなり発生するのみ。１３２の管軸方向の長短さによるしなり程度が異なる、５ＬＷ／５Ｕが１５〜３０ｍｍの長さ（各サイズの長さが表７記載あり）になっているのですが、各サイズが長短さ調整可能となっている。楕円形の曲げ弾性頸部１３２が打撃瞬間大幅のしなりを発生する為、振動及び共振を抑制減衰し、手首や肘への衝撃力にも遮断され、競技者の手頸や肘の負担が軽減される。更に高い反発力を発揮出来る。
前記００４８〜００５０段実施されたヘッド構成の環状フレーム段別に縮小こと、肉厚を薄くに設けること、外形を細くになりこと、グロメットとストリングを減少こと、打球面網目の拡大こと、または００５１と００５２段実施されたシャフト肉厚を薄くに設ける事、肉厚さによる外径にも段別細くに形成されて、いずれの軽・薄・短・小・減の対策による、幼い子供達が幾つからでもソフトバドミントンを始められる、幼い子供達の発達段階に応じて、使用に換えられる軽薄短小化でのラケットが構成できる。
【００５３】
≪各サイズシャフトの各部寸法が一覧表（７）の記載通り。≫
図１１の正面図の１１−１からシャフト部１３０の特殊形状を説明する、シャフト先端部１３１−Ｆがヘッドムレームと接続ために設けられ部分である、ジョイント部１２５のＴ字形縦部がシャフトの先端部１３１−Ｆの中空部１３８内へ挿入嵌合為に、１３１−Ｆの軸方向長さがジョイントの縦部長さに合わせてことを好ましい。下へ隣接部位に１５〜３０ｍｍ長さ楕円形に変形させ、曲げ弾性頸部１３２を設けられ、長さ２３０ｍｍのシャフト部１３０の尾端部１３１がグリップ部１４０と繋がる。
図１１−２は上空から見た円形シャフト先端部１３１−Ｆと楕円形曲げ弾性頸部１３２重なる状態である。
シャフト部１３０の外径部１３５の直径７ｍｍ、シャフト部の肉厚１３７が１.２ｍｍに設けられている。シャフトの先端部１３１−Ｆがジョイント下端収容ため中空部１３８設けられている。
シャフト側面図の１１−３について、シャフトの先端部１３１−Ｆの下隣接処細くに見える部位が曲げ弾性頸部１３２の楕円形状短径軸方向である。
図１１−４が曲げ弾性頸部１３２の断面から１３２の形状を見た状態である。曲げ弾性頸部１３２の肉厚部１３７が円形状シャフト部分と同じ１.２ｍｍとなっている。楕円形状の長径が１３３を示す、短径部１３４の短径５ｍｍ（長短調整可）となっている。シャフト円筒部分内径部１３６は４.６ｍｍとなっている。各サイズシャフトの内径４.６ｍｍが不変ため肉厚による外径が細くになり、後述シャフトの治具芯棒が一本太さで全てのサイズに対応出来る。
【００５４】
≪図１２−１〜図１２−４に於いて、本発明に係るシャフト特殊治具丸芯棒の構成を説明する。≫
従来なバドミントンラケットのシャフトが長さまで均等外径の金属丸棒状治具芯棒を用いシートローリング法で形成されている。
本発明がそのシャフト治具芯棒部２００を進化させ、シャフト部１３０を形成ため長さ約２３０〜３００ｍｍ、直径４.６ｍｍの金属丸芯棒部２１１の先端に８５ｍｍ長さ部分を旋盤加工による外径２.６ｍｍの丸棒形状先端部２１３を形成され、次の隣接部位に７ｍｍ長さを切削加工方法による楕円形状雄ザネ部２１２を形成され、２１２の楕円形状の短径が２.６ｍｍ、シート筒から抜けられる為、図１２正面図の１２−１見た状態のように２１２の長径と丸芯棒部２１１の直径に相同寸法４.６ｍｍとなっている、その形状が横の上空図から確認できる。側面図の１２−２から見ると、雄ザネ部２１２の短径軸方向が確認出来る、下方隣接の丸芯棒部２１１により細い事とが分かる。
曲げ弾性頸部１３２楕円形状の短径サイズを変更したいの場合が、雄ザネ部２１２の短径を拡大するまたは縮小するによる曲げ弾性頸部１３２楕円形状のサイズを変更事出来る。但し図１４の楕円形成加圧器の上下口金の形状を合わせて変更の必要となる。
また、丸芯棒の延長丸芯棒部２１１−Ｂの形成を説明する。図の１２−３側面図と図の１２−４正面図を示すように丸芯棒部２１１と同じ４.６ｍｍ外径で長さ約２００ｍｍ位、内径が２.６ｍｍ強のパイプを用い、パイプの先端５５ｍｍ長さ部分を、楕円形の凹型を切り開け、雌ザネ部２１４が形成される、雌ザネ部２１４の形状が楕円状雄ザネ部２１２の形状とぴたり合致する、挿入と抜き為に少し緩めが好ましい。延長丸芯棒部２１１−Ｂを形成出来て、シャフトの特殊治具芯棒部２００構成となっている。
【００５５】
≪つけましては、シャフトの特殊治具芯棒部２００を用いシャフトの曲げ弾性頸部１３２形成方法及び手順を図面１３と図面１４に於いて説明する。≫
上記図１２形成した延長丸芯棒部２１１−Ｂが、シャフト先端部１３１−Ｆ筒状中空部の形状を保持及び曲げ弾性頸部１３２の管軸方向長さを決める部品であり、１３２の管軸方向長さが１５〜３０・２０〜４０・２５〜５０・３０〜６０ｍｍとの４つ（表７記載あり）に分類され、各サイズのシャフト外径に個別対応為に４本延長芯棒部２１１−Ｂを設けられている。（註：例えば、６歳子供達ため曲げ弾性頸の短径を短縮する場合は、雄ザネ部２１２と雌ザネ部２１４及び図１４の楕円形成加圧器バイス部２４０の上口金部２４２下口金部２４１をセットで寸法変更の必要となる。）
図１３の１３−１示すように、２１１−Ｂが頸部１３２の１５ｍｍ長さに対応する為、２１１−Ｂの中空部２１５の空間長さが芯棒本体部２１１の先端丸棒形状部２１３の長さと同じ８５ｍｍにとする。寸法決め方法として中空部２１５の内径と同じの外径２.６５ｍｍの丸棒状ストッパー部２１６を用い、中空部２１５の後部から挿入、２１５の空間を残る８５ｍｍまで処挿入し、小さい止めネジで固定（図示せず）、つまり中空部２１５の空間長さは８５ｍｍとなっている。
２１１と２１１―Ｂの接続方法として、２１１の先端丸棒形状部２１３が雌ザネ部２１４の中空経由２１５の中空内へストッパー部２１６まで挿入し、中空部２１５の空間がゼロとなる。長さ５.５ｍｍの雌ザネ部２１４の先端と２１２の末端までの間１５ｍｍ間隔を設けられ、２１２の１５ｍｍ長さの楕円形状露出部分を用い、１５ｍｍ長さの楕円状頸部１３２を形成出来る。図の１３−２示すシャフトの治具芯棒部２００完成状態である。以下三サイズがこれによって類推する。
延長芯棒部２１１−Ｂ２が頸部１３２の２０ｍｍ長さに対応する為、空間部２１５の空間長さは８０ｍｍとなっている。２１１−Ｂ３が頸部１３２の２５ｍｍ長さに対応する為、空間部２１５の空間長さは７５ｍｍとなっている。２１１−Ｂ４が頸部１３２の３０ｍｍ長さに対応する為、空間部２１５の空間長さは７０ｍｍとなっている。
例えば、頸部１３２の長さ３０ｍｍから５０ｍｍに変更の場合は、２１１−Ｂ４の中空部に挿入のストッパー部２１６をもっと奥へ２０ｍｍを挿入する、止めネジを締めて固定、中空部２１５の空間長さは５０ｍｍとなっている。雄ザネ部が雌ザネ部の中空内へストッパー部２１６まで挿入すれば、長さ５０ｍｍの曲げ弾性頸部１３２が形成出来る。
【００５６】
図の１３−２連結されている芯棒部２００の外周りに図の１３−３示す位置のようにカーボンファイバー シートを多層巻く、多層構成筒状シャフト１３０が巻き形成される。
なお、図の１３−４見た状態ように、上述シートローリング法による巻きられた半硬化状態シート筒中の楕円形状雄ザネ部２１２当たる位置処、筒状シャフト１３０の上下側凹み部分が、後述図１４の楕円形成加圧器による形成された楕円状の曲げ弾性頸部１３２である。シャフト部１３０が分段され、ヘッドと接続為の先端部１３１−Ｆと、曲げ弾性頸部１３２と、グリップ部と繋がるシャフト尾端部１３１とを三部になっている。図の１３−４が後述記載された高温の乾燥室で乾燥硬化した後口金部を外した状態を示す。
【００５７】
≪楕円形成加圧器の説明を省略にとする。図１４−１〜図１４−３に於いてバイス部２４０の構成と役割を説明する。≫
図１３の１３−３に続いて、シャフトの特殊治具芯棒と楕円形成加圧器を用い、曲げ弾性頸部１３２の形成工程を図１４による説明する。図１４の楕円形成加圧器のバイス部２４０が半楕円形状上口金部２４１と半楕円形状下口金部２４２を有し、この上下口金部と雄ザネ部を用い楕円曲げ弾性頸を形成する。
各サイズシャフトの外径太さによる上下口金の形状サイズが異なるため、シャフトの各外径に応じて作る良い。図の１４−１は上下口金部が開いて状態いるので、上下噛みあわせにならば楕円形状になり、２４１と２４２の真中がシャフト１３０断面の円形状の中に雄ザネ部２１２居る事を確認出来る。
上口金部２４１の左右側の上下結合口部位の外側にパチンロックのフック留め部２４３が付けられている、下口金部２４２の左右側上下結合口部位の外側にパチンロックのフック部２４４付けられている、フック部２４４にバネ部２４４−１を設けられ、バネ部がフック先端開く及び戻ってロック為の部品です、耐高温の材質を使用好ましい。２４４−１の先端内側に設けられフックの仕掛け部２４４−２がフック留め部２４３とパチンロック出来る。２４４−２の最先端真直ぐ突き出る部分が開錠装置部２４４−３を設けられ、パチンロックを開け出来る。パチンロック部が別なロック方法作るでも良い。
また、図の１４−２のように、バイス部２４０を閉めると、上口金２４１と下口金２４２が噛みあわせになると、真中のシャフト部１３０に圧力を加えて楕円形状に形成し、同時に両側のパチンロック部２４５がパチンでロックされる、上下口金と雄ザネ部２１２による楕円形状に変形されことで曲げ弾性頸部１３２が形成される。
バイス部２４０を開けたら上下口金部がバイス部から外される（簡単外す仕掛けを設けられている）。シャフト部１３０が上下口金部ロックついてそのままで高温の乾燥室で乾燥させ、乾燥硬化したシャフト部が図の１４−３を見た状態のように２４１と２４２を外し、図の１４−４の断面から見ると楕円形の１３２中に２１２の断面を確認できる、横見ると図１３の１３−４を示す状態になっている。そして筒状シャフト部１３０の両端から芯棒を抜き出し、図の１４−５を示す断面状態での楕円形状の１３２が形成されている。短径部１３４の短径が５ｍｍとなっている。（別な設備による加圧方法採用するでも良い。）
【００５８】
≪グリップ部の隆起形状の前例が、人類古代武器の剣のグリップ製造から始め、現在世の中は、工具のグリップや様々な手操作レッバー等広く範囲に応用されている。≫
今までのラケット操作はグリップ真直ぐ扁形八角棒状による殆ど一点握る為打球力充分発揮出来ない。
また、変化フライトしようとする時が手首及び肘の回内運動また回外運動で斜めフェース面を作る必要がある、打球力充分発揮出来ず、肘痛み発生の恐れにもある。
ところで、本発明に係る攻守兼備グリップが二段隆起の曲線形状を用い二点握り多様操作機能を具備している。
以下図１５の１５−１正面と１５−２側面図に於いて、グリップ部１４０の構成を説明する。
細いシャフト尾端部１３１と接続ためにグリップ部１４０の先端にテーパー形状を形成、テーパー形状部に同様形状のグリップキャップ部１４１を被せられている。グリップの非テーパー形状部分の前半部分に、偏形八角棒の対角面幅部１４４の４面に、発泡ゴム部１４４−Ｙ（断面図１６−２の対角面部分示す）を貼り付け方法で狭くさせ事による打球面と平行向きの２面平面部１４３と両側面部１４９の横幅が広くになり、グリップの腰部位を削る加工による周囲八面横幅が狭く、細くに形成出来てため薬指と小指操作部１４５を設けられ、１４５部を細く形成されこそグリップの前半部大きく隆起形成され、隆起形状が手握る最適為機敏操作部１４２を設けられ。試合中には、薬指と小指を１４５部握り安定させ、親指と示指中指の指先で１４２を捻って回す、ラケット面を左右切り替えでフライトを変化させる細かく巧妙的操作により効果的、対角面部１４４狭い為角部分突き出し明確為打球面の向きを指の感覚で正確操作できって、指先捻るとき滑る事なく、激しい試合中打球面を瞬間変化に要するものを簡単に出来る。
また、グリップのエンド部位が、扁形の八角形大きく隆起での形状を形成され、この隆起形状が手のひらの形状とぴったり、握る最適ためパワーエンド部１４６を設けられ事で、二段隆起での曲線形状グリップ部が二段握る攻守兼備機能を具備いるグリップ部１４０構成となっている。
【００５９】
また、１４２を用いラケットを操作する場合、１４５部が細くってやや楕円形状為ラケット回転し易くになり、インパクトの瞬間に任意変化打球面を作られる。
また、扁形の八角形大きく隆起形状でのパワーエンド部１４６を設けられため、シングルスのプレーヤーだけではかく、ダブルスのプレーヤーにも攻撃際インパクトの瞬間に握り込んで打球出来る。このエンド部握る打球は、手の力加えるエンド部と作用点の打球面の中間距離延長事による打撃力大きく増強出来る。
なお、エンド底面に付けられた硬質プラスチック製エンドキャップ部１４７の周縁がエンド底面により１ｍｍの出幅をグリップテープ止めガード部１４８設けられ、長期間使用しても巻いたグリップテープが良い状態を保つ事が出来る。
【００６０】
また、グリップ部完成した状態の平面斜視図１６を見ると、シャフト尾端部１３１がグリップ先端テーパー状経由内部に固定され、軽くする為中空部１５０を設けられている。              
なお、機敏操作部１４２とパワーエンド部１４６の二段隆起及び１４５の細い部分を備えられ為、非常に二点握り操作し易い曲線形状形成されている。図１６の１６−２を於いてグリップ前半部１４２の断面を四面測る寸法では、（Ｗ２３ｍｍ×２面）×（Ｔ２０ｍｍ×２面）となっている長方形を面取り加工による扁形の八角面形状になる。八角面測る寸法を説明すると、打球面と平行の平面部１４３は、Ｗ２０ｍｍ×２面、側面部１４９は、Ｔ１６.４ｍｍ×２面、４面対角面１４４に発泡ゴム部１４４−Ｙ貼り付け、横幅２.３ｍｍ×４面を有し、機敏操作部１４２が構成出来る。
他のサイズの断面寸法が下表記載している。
2020048787.tif 000012
≪上表の１４０、１４１、１４２、１４３、１４９、１４４は、グリップ各部の番号です。表の寸法単位は、ｍｍ。≫
図１６の１６−３に於いて、エンド部１４６の断面寸法を説明する。四面測るは、（Ｗ２７ｍｍ×２面）×（Ｔ２４ｍｍ×２面）となっている長方形を面取り加工による扁形の八角面形状になる。八角面測る寸法を説明すると、打球面と平行の平面横幅１８ｍｍ×両面、側面横幅１６ｍｍ×両面、対角面横幅６ｍｍ×四面との八角面になっている。
本発明に係る機敏的操作機能と打撃パワー機能を具備する攻守兼備グリップ部が構成できる。他サイズの断面寸法が下表記載している。
2020048787.tif 000013
≪上表の寸法単位は、ｍｍ。≫
【００６１】
また、グリップの機能について、１４２の先端がキャップ１４１と接続の部位細くになり、グリップの腰部分の薬指と小指操作部１４５にも、細くになっている為１４２が扁形の八角形中央隆起形状になり、手のひら握る形状とぴったり合っている、ラケットを操作し易くになり、グリップ握り方は、大きく分けて、3つに分類され、イースタングリップ、ウエスタングリップ、サムアップと言います、それぞれ握り方の利点と不利点がありますので、激しい試合の中フライトによって三類型の握り方を異常に簡単で自由自在に変換できる。
更に、守備範囲の６割が親指操作部１４３を用い、親指の力点でバックのクロスショット、コースチェンジ等、手技として薬指と小指を１４５部握り安定させ、親指が１４３部の広い幅を用いと示指及び中指が１４４部を用い捻ってラケットを回す、最大の特徴は回転軸が小さく、素早くラケットを回ってくれる事、応用フライトは、スマッシュ(プッシュ)レシーブをする際はサムアップで受けた方がレシーブをしやすい。さらにラケット面変化のスピードを要するものに簡単に出来る。  
特に、コート中盤や後方から、相手のコート前方の両側サイトを沈めるドロップ、シャトルを捉える時、フェースの面角度を素早く変化してシャトルをカットして斜線フライトさせ事出来る。
更に、自分のコート左後方から、相手のコート左サイトを狙って、手首及び肘の回内運動をしなくでも打球する瞬間にフェースの面角度を素早く変化してカットスマッシュが出来る。最大の特徴は、インパクトの瞬間に打球面を変化して打つ直前までどこに打つかわかりづらく、コースを読まれにくい。
かつ機敏操作部１２４の４面対角面に貼り付けた発泡ゴム部１４４−Ｙが反発弾性と柔軟なクッションにより長い試合でも手のひらに摩擦の痛み発生し難い。
【００６２】
また、今までのバドミントンラケットのグリップエンド部の役割は、ラケットが手から滑り落ちる事を防止するものであり、形による握る打球には極めて難しい。
本発明のラケットグリップのエンド部１４６が扁形の八角形大きく隆起形状と手のひら形状をぴったり握りでき、このエンド部握る打球法良い事が、手の力を加えるエンド部と作用点打球面の中間距離約５０〜６０ｍｍ延長され、シャトルの打点が高くになり、打点と落下点のフライトが短くになる、時差にも短縮出来、しかも打球パワーを大きく発揮できる。
また、１４６を握りオーバーヘッドストロークから、相手コートに対して鋭角に打ち出す最も攻撃的なスマッシュの決め率をもっと高める。
【００６３】
≪図１５に於いて、ラケットの楕円形の曲げ弾性頸の効果を説明する。≫
前記シャフトの先端とヘッド接続し、尾端とグリップを接続事でラケット構成出来た。曲げ弾性頸部１３２を設けられたシャフトとは、シャフト部のしなり反弾点が先端へ一点に絞って、中後部剛性高くになり、ラケットの操作一層よりし易くになる。丸パイプ状シャフトが外力加えるに対して八方面の曲げ剛性率同じ為、決める方向だけでのしなり事が出来ません。楕円形の曲げ弾性頸部が違って、長径と短径を共に有している為に、打球面と平行方向の長径軸が剛性増強為ひずみにならず、打球面に向き短径軸方向が剛性弱くになる為しなり幅を大きく増幅事出来る。図１５のラケットが外力加えた曲げ弾性頸部１３２が大幅しなり発生事を示され、一本シャフトが同時に両立の剛性としなり性能を発揮出来ないという問題を解決し、一本シャフトに剛性としなり性能を同時発揮出来事による、操作性能が効果的優られ、更に打球パワーを大幅アップ出来る。
【００６４】
＜変形例＞
以上、本発明の実施の形態について説明したが、本発明はこれ以外にも種々変形可能となっている。以下、それについて述べる。
上述の第一実施例では、ＰＰ素材製ラケットは、２歳用１１ＬＷ／１２Ｕ・３歳用１０ＬＷ／１１Ｕ・４〜５歳用９ＬＷ／１０Ｕサイズラケットが製造コスト低減為ＰＰ素材製造されているですが、しかしながら、幼い子供でも羨望心をもつ、カーボンラケットの高級感に対しての願望満たせ為カーボン素材で製造しても良い。
【００６５】
実施例２では、６歳〜１２歳まで８ＬＷ／９Ｕ・７ＬＷ／８Ｕ・６ＬＷ／７Ｕ・５ＬＷ／６Ｕの４本ラケットに対応されている。しかしながら、幼い子供達の成長のために６歳から1歳上げるにつき一本ずつラケット対応する事でも良い、つまり６歳〜１２歳までは７本のラケットで対応する事でも良い。
また、カーボン素材製競技用ラケットがソフトバドミントン使用に限られず、バドミントン競技やバドミントンスカッシュ競技に用いる事でも良い。
【符号の説明】
【００６６】
１０ＰＰ素材製ラケットについて、２０ヘッド部、２１フランジ部、２２凹形溝部、２３縦ストリング部、２４横ストリング部、２５ジョイント部、２６ウェブ部、３０シャフト部、３０−Ｅシャフト先端部、３０−Ｇシャフト尾端部、３１シャフトのフランジ部、３２シャフトの凹形溝部、３３ウェブ部、４０グリップ部、４０―Ｂ筒状本体部、４１―Ｂショルダー部、４２グリップ正面部、４２−Ｂ  筒状本体正面部、４３グリップの対角面部、４３−Ｂ筒状本体の対角面部、４４エンド部、４４−Ｂ筒状本体のエンド部，４５グリップの側面部、４５−Ｂ  筒状本体の側面部、４６筒壁部、４７グリップの空間部、４８差し込み部、４９滑りとめ部、５０―Ｂエンド底面部、５０発泡ゴムカバーの底面、５１発泡ゴムカバー部。
１００カーボン素材製ラケットについて、１２０ヘッド部、１２１フレーム部、１２２ハンマー部、１２３縦ストリング、１２４横ストリング、１２５ジョイント部、１２６小サイズグロメット部、１２７大サイズグロメット部、１２８鉛ハンマー部、１２９発泡性樹脂部、１２１―Ａ樹脂シート円筒部。
１３０シャフト部、１３１−Ｆシャフト先端部、１３１シャフト尾端部、１３２曲げ弾性頸部、１３３楕円状頸部の長径、１３４楕円状頸部の短径、１３５円状シャフト部の外径、１３６円筒状シャフト部の内径、１３７シャフトの肉厚、１３８シャフト先端の中空部、
１４０グリップ部、１４１グリップキャップ部、１４２機敏操作部、１４３平面部及び親指操作部、１４４対角面部、１４４−Ｙ発泡ゴム部、１４５薬指と小指操作部、１４６パワーエンド部、１４７エンドキャップ部、１４８グリップテープガード部、１４９グリップ側面部、１５０グリップの中空部。
２００シャフトの治具芯棒部、２１１丸芯棒部、２１１−Ｂ延長芯棒部、２１２雄ザネ部、２１３丸棒形状先端部、２１４雌ザネ部、２１５芯棒の中空部、２１６ストッパー部。２４０バイス部、２４１上口金部、２４２下口金部、２４３フック留め部、２４４フック留め部、２４４−１バネ部、２４４−２仕掛け部、２４４−３開錠装置部、２４５パチンロック部。
【図１】
2020048787.tif 000014
【図２】
2020048787.tif 000015
【図３】
2020048787.tif 000016
【図４】
2020048787.tif 000017
【図５】
2020048787.tif 000018
【図６】
2020048787.tif 000019
【図７】
2020048787.tif 000020
【図８】
2020048787.tif 000021
【図９】
2020048787.tif 000022
【図１０】
2020048787.tif 000023
【図１１】
2020048787.tif 000024
【図１２】
2020048787.tif 000025
【図１３】
2020048787.tif 000026
【図１４】
2020048787.tif 000027
【図１５】
2020048787.tif 000028
【図１６】
2020048787.tif 000029
【図１７】
2020048787.tif 000030
【手続補正書】
【提出日】平成30年9月27日(2018.9.27)
【手続補正１】
【補正対象書類名】明細書
【補正対象項目名】００３０
【補正方法】変更
【補正の内容】
【００３０】
上述ラケット１０の構成の概要のように、２歳用１１ＬＷ／１２Ｕ・３歳用１０ＬＷ／１１Ｕ・４〜５歳用９ＬＷ／１０Ｕでのソフトバドミントンラケットのサイズ下表の記載通り。
2020048787.tif 000031
前記２歳から５歳まで４年齢段階に３サイズラケット対応しているですが、もう一本追加して４本にするでも良い。全長が３２０〜４７５ｍｍまでの長さ間に４サイズの長短を調整する。例えば、３２５、３７５、４２５、４７５ｍｍのような４サイズ長さでも良い。
【手続補正２】
【補正対象書類名】明細書
【補正対象項目名】００３１
【補正方法】変更
【補正の内容】
【００３１】
≪本実施のグリップのＰＰ筒状体部が発泡ゴムグリップカバーを装着の完成品部との区別の為、グリップＰＰ筒状体各部の番号に―Ｂを付けられている。≫
本発明に係るＰＰ素材製ラケット図１〜図８に於いて、ラケット１０について詳細的に説明する、本実施の形態では、２〜５歳の子供達が遊び感覚でラケット競技に興味を持たせる為、ラケットの製造では、しなりと復元要素を具備するＰＰ素材を選択し、手首や肘に負担がかからないように、小型ラケットにとする。年齢段階に応じて三種類サイズを設けられ、同じ構造為９ＬＷ／１０Ｕと１０ＬＷ／１１Ｕのサイズの説明を省略にとする（各部のサイズ一覧表を提出てある）、１１ＬＷ／１２Ｕのサイズを図面に於いて詳細に説明する。
図１示のように、２歳用１１ＬＷ／１２Ｕサイズでは、全長約３２５ｍｍ、（全長に適当でマイナスまたプラス調整でも良い）総重量４０〜４４ｇ。ヘッド部２０は、Ｌ１５０ｍｍ×Ｗ１３５ｍｍの楕円形状となっている。フレーム部２１−Ａ（打球面枠）の特徴とするＨ形状の凹形溝部２２が楕円形ヘッドフレーム部の両打球面に向いている、両面２本凹形溝２２の両側４本フランジ部２１があり、Ｈ形状のウェブ部２６が打球面と平行している。フレーム部２１−Ａの幅（Ｗ）６ｍｍとなっている。このＨ形状フレームが丸パ形状イプフレームにより強度やしなり性能が優れている。（Ｈ形状の断面寸法は図３示す）
ヘッド部２０の楕円形フレーム２１―Ａの中に、同時成形された、５本縦ストリング２３及び６本横ストリング２４と共に有している、ストリングが打球面に平行方向の幅（Ｗ）約１.５ｍｍ位、交差方向の厚さ（Ｔ）は約３.０ｍｍ位、縦と横ストリングを交差成形される正方形の２１ｍｍの網目と、を備える打球面が構成されている。
３歳用１０ＬＷ／１１Ｕと４〜５歳用９ＬＷ／１０〜８Ｕのヘッド構成の各部サイズ一覧表が記載ある。
2020048787.tif 000032
【手続補正３】
【補正対象書類名】明細書
【補正対象項目名】００３３
【補正方法】変更
【補正の内容】
【００３３】
本発明に係るＨ形状に特徴とするシャフト部３０とは、先端部３０−Ｅがジョイント部２５を経由ヘッド部と繋がる。尾端部３０−Ｇがショルダー部４１―Ｂを経由グリップ部４０と繋がる。シャフト部３０の長さ６５ｍｍとなっている（シャフト部が延長または短くに調整できる）。図１正面図見たように、先端３０−Ｅの幅（Ｗ）８ｍｍ、尾端３０−Ｇの幅（Ｗ）が１１ｍｍ、シャフトの先端幅狭く尾端幅広いような形状を形成され、縦向き両側フランジ部３１の中間が凹形溝部３２形成されている。
2020048787.tif 000033
ＰＰ素材製シャフト部のサイズ一覧表（３）
シャフト成形されたＨ形状の断面寸法が後述の図４に於いて説明する。
【手続補正４】
【補正対象書類名】明細書
【補正対象項目名】００４１
【補正方法】変更
【補正の内容】
【００４１】
図７の７−３に於いて、発泡ゴムエンド部４４の八面膨出の寸法を説明します、発泡ゴムエンド部４４の肉厚５ｍｍ、４面に測ると、Ｗ２９ｍｍ２面×Ｔ２７ｍｍ２面です、八面に測ると、正面の平面部４２の幅は、１７.２ｍｍ×両面、側面の平面部４５の幅は、１５.２ｍｍ×両面、対角面部４３の幅は、８.４ｍｍ×四面のような発泡ゴムエンド部八方面へ膨出外形寸法を設けられている。発泡ゴムエンド部４４がラケット手から滑落の自然防止に役割を果たす。
１１ＬＷ／１２Ｕのラケットのグリップ全長とＰＰ筒、発泡ゴム筒体断面寸法の一覧表、
一覧表表（４−１）２歳用
2020048787.tif 000034
１０ＬＷ／１１Ｕのラケットグリップ全長とＰＰ筒、発泡ゴム筒体断面寸法の一覧表、
一覧表（４−２）３歳用
2020048787.tif 000035
９ＬＷ／１０Ｕのラケットのグリップ全長とＰＰ筒、発泡ゴム筒体断面寸法の一覧表、
一覧表（４−３）４〜５歳用
2020048787.tif 000036
上記グリップ各部寸法例表の説明、Ｗ×Ｔは長方形の寸法、面取り後八角形になる。正面幅は２面、側面幅は２面、対角面が４面での八角面横幅です。
【手続補正５】
【補正対象書類名】明細書
【補正対象項目名】００４５
【補正方法】変更
【補正の内容】
【００４５】
本実施は幼い子供達の発達段階に応じて、男子成人から６歳までの競技者ラケットを選び目安の参考サイズを５段提供する。
2020048787.tif 000037
上表ラケットサイズでは、バドミントンラケットのサイズに基づき派生出来たものので、バドミントンラケットのサイズは総重量表示する記号ですが、本発明のソフトバドミントンラケットのサイズが違って、重さだけではなく、長さと幅のサイズにも示される。５ＬＷ／５Ｕに例擧すると、Ｌは全長６７５ｍｍです、Ｗはヘッドの幅２０５ｍｍです、５Ｕは、バドミントンラケットの重量サイズ７５〜７９ｇをそのまま使用している。
全長６７５ｍｍの５ＬＷ／６Ｕから８ＬＷ／９Ｕへ３段階同じ段差で一段ずつ段段短縮５０ｍｍ設けている。６歳から１２歳までは４サイズラケットに設けられているですが、もしくは３本を増やして、６、７、８、９、１０、１１、１２歳まで各一本ずつでも良い。
【手続補正６】
【補正対象書類名】明細書
【補正対象項目名】００４８
【補正方法】変更
【補正の内容】
【００４８】
≪一般的なバドミントンラケットの場合は、ヘッドフレームに嵌めるグロメットが７６個を使用し、縦ストリング２２本、横ストリング２３本となっている。≫
図１０の１０−２のヘッド部１２０のサイズについて、５本ラケットを４段サイズに分段され、１２歳〜１７歳及び成人女性用５ＬＷ／６Ｕと成人男性用の５ＬＷ／５Ｕの外形サイズほぼ一緒ですが、ただ構成要素による重さ違うことある。
2020048787.tif 000038
図１０−２に於いて、上附一覧表（６）記載している５サイズのヘッド部１２０の各部構成を参照して説明する。
幼い子供達のどの年齢にも軽いラケットが使えられように、年齢段階に於いて、ラケットを６ＬＷ、７ＬＷ、８ＬＷのように３段分けてヘッド大きさを段別に縮小。ジュニア用４サイズラケットのヘッドフレームの重量を軽減ために、肉厚減少の対策を行う、表（６）のように、成人男性用５ＬＷ／５Ｕが１.０ｍｍ、以下へ段段0.1ｍｍずつ薄くに設けられている。
前記５サイズ全てのヘッドフレーム部１２１の内部空間が同一内径寸法設けられた為に、外形が前記肉厚さによって太さが異なる、大サイズから小サイズへ外形が一段０.２ｍｍずつ段別細くに形成されている。（図示せず。）
ヘッドの縮小と肉厚み薄くになる事、または外形細くになる事によるヘッドフレームが可なり軽くになる事で、軽薄短小化でのラケットを構成出来る。
ラケットの軽薄短小化によるスイング時空気の抵抗を低減出来る。幼い子供達のどの年齢にも使用でき、手首や肘の痛み防止にも良い効果を奏する。
【手続補正７】
【補正対象書類名】明細書
【補正対象項目名】００５１
【補正方法】変更
【補正の内容】
【００５１】
今までバドミントンラケットシャフトが従来な製造法による、カーボンファイバープリプレグ成形を積層した多層構成出来た中空丸パイプ形状でのシャフトが、剛性が極限まで追求され、一方にしなり難しいと言う問題点があり、一本シャフトが同時に両立性能を発揮するのは極めて難しいという問題がある。
しかし、本発明が楕円形の曲げ弾性頸部１３２設ける事で両立問題を解決し、一本シャフトに剛性としなり性能同時発揮出来てとなっている。
以下図１１・図１２・図１３・図１４に於いて詳細に説明する。
2020048787.tif 000039
カーボン素材製での５サイズのラケットの環状ヘッドを支持するシャフト部１３０の形成方法として、４.６ｍｍ外径の一本金属丸棒状治具芯棒を用い、シートローリング法で形成させるため、各サイズパイプ状シャフトの内径部１３６が全て４.６ｍｍのような寸法に設ける。幼い子供達の発達段階に於ける、ラケットを軽くさせ為に６ＬＷ、７ＬＷ、８ＬＷサイズのシャフト部１３０を表６記載のような段別短くに設けられている。一覧表（７）の記載通り。
また、どの年齢にも軽くに使えられる為、サイズ段別にシャフトの肉厚を減少させ、各サイズ肉厚部１３７の厚寸法が、一覧表（７）記載の通り５ＬＷ／５Ｕから小サイズへ段段０.１ｍｍずつ減少設けられている。
各サイズシャフト内径部１３６の寸法同一為に、肉厚部１３７の厚さによる各サイズシャフトの外径部１３５の寸法が一覧表（７）記載のようなサイズ段別に細くに形成されている。
シャフトの対策による可成り段別に細く、軽くになり、スイング時空気の抵抗を低減出来て、どの様な小さい子にも自由自在で機敏的な操作事ができる。
【手続補正８】
【補正対象書類名】明細書
【補正対象項目名】００６０
【補正方法】変更
【補正の内容】
【００６０】
また、グリップ部完成した状態の平面斜視図１６を見ると、シャフト尾端部１３１がグリップ先端テーパー状経由内部に固定され、軽くする為中空部１５０を設けられている。              
なお、機敏操作部１４２とパワーエンド部１４６の二段隆起及び１４５の細い部分を備えられ為、非常に二点握り操作し易い曲線形状形成されている。図１６の１６−２を於いてグリップ前半部１４２の断面を四面測る寸法では、（Ｗ２３ｍｍ×２面）×（Ｔ２０ｍｍ×２面）となっている長方形を面取り加工による扁形の八角面形状になる。八角面測る寸法を説明すると、打球面と平行の平面部１４３は、Ｗ２０ｍｍ×２面、側面部１４９は、Ｔ１６.４ｍｍ×２面、４面対角面１４４に発泡ゴム部１４４−Ｙ貼り付け、横幅２.３ｍｍ×４面を有し、機敏操作部１４２が構成出来る。
他のサイズの断面寸法が下表記載している。
2020048787.tif 000040
≪上表の１４０、１４１、１４２、１４３、１４９、１４４は、グリップ各部の番号です。表の寸法単位は、ｍｍ。≫
図１６の１６−３に於いて、エンド部１４６の断面寸法を説明する。四面測るは、（Ｗ２７ｍｍ×２面）×（Ｔ２４ｍｍ×２面）となっている長方形を面取り加工による扁形の八角面形状になる。八角面測る寸法を説明すると、打球面と平行の平面横幅１８ｍｍ×両面、側面横幅１６ｍｍ×両面、対角面横幅６ｍｍ×四面との八角面になっている。
本発明に係る機敏的操作機能と打撃パワー機能を具備する攻守兼備グリップ部が構成できる。他サイズの断面寸法が下表記載している。
2020048787.tif 000041
≪上表の寸法単位は、ｍｍ。≫
【手続補正９】
【補正対象書類名】図面
【補正対象項目名】全図
【補正方法】変更
【補正の内容】
【図１】
2020048787.tif 000042
【図２】
2020048787.tif 000043
【図３】
2020048787.tif 000044
【図４】
2020048787.tif 000045
【図５】
2020048787.tif 000046
【図６】
2020048787.tif 000047
【図７】
2020048787.tif 000048
【図８】
2020048787.tif 000049
【図９】
2020048787.tif 000050
【図１０】
2020048787.tif 000051
【図１１】
2020048787.tif 000052
【図１２】
2020048787.tif 000053
【図１３】
2020048787.tif 000054
【図１４】
2020048787.tif 000055
【図１５】
2020048787.tif 000056
【図１６】
2020048787.tif 000057
【図１７】
2020048787.tif 000058
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
ソフトバドミントン用ソフトバドミントンラケットセットであって、
幼い子供の発達段階に於いて、２歳〜５歳の幼児期に遊びながら興味を持たせる段階のため、使用のラケットは強化プラスチックやポリプロピレン（ＰＰ）素材で成形し、ラケット競技活動を始められる６歳から成人競技者まで使用の競技用ラケットがカーボン素材を使用に製造する事と、を有し、
幼い子供達の成長に伴い、ラケットのサイズも変わる為、ラケットを８段サイズ設けられ、年齢に対応する目安サイズは、
２歳用１１ＬＷ／１２Ｕ全長３２５ｍｍ、幅１３５ｍｍ、重量４０〜４４ｇ・３歳用１０ＬＷ／１１Ｕ全長４００ｍｍ、幅１４５ｍｍ、重量４５〜４９ｇ・４〜５歳用９ＬＷ／１０Ｕ全長４７５ｍｍ、幅１６０ｍｍ、重量５０〜５４ｇ・６〜７歳用が８ＬＷ／９Ｕ全長５２５ｍｍ、幅１７５ｍｍ、重量５５〜５９ｇ・８〜９歳用が７ＬＷ／８Ｕ全長５７５ｍｍ、幅１８５ｍｍ、重量６０〜６４ｇ・１０〜１１歳用が６ＬＷ／７Ｕ全長６２５ｍｍ、幅１９５ｍｍ、重量６５〜６９ｇ・１２〜１７歳が成人女性と同じ５ＬＷ／６Ｕ全長６７５ｍｍ、幅２１０ｍｍ、重量７０〜７４ｇ・成人男性が５ＬＷ／５Ｕ全長６７５ｍｍ、幅２１０ｍｍ、重量７５〜７９ｇサイズと、８サイズを備える、
ことを特徴とするソフトバドミントンラケットセット。
【請求項２】
請求項1記載のＰＰ素材製のソフトバドミントンラケットであって、
ＰＰ素材製のストリングを有する楕円状ヘッドフレーム部を、断面Ｈ形状に成形されると、を有し、
前記ヘッドフレーム部に接合された先端が細く尾端が太い形状のシャフト部を、断面Ｈ形状に成形され、
シャフト部に接合された八角形筒状グリップ部に軽くする為中空状を設けられると、を備え、
更に、緩衝性能を持つ発泡ゴムグリップカバー部を設けられると、を備える、
ことを特徴とするＰＰ素材製ソフトバドミントンラケット。
【請求項３】
請求項１記載のカーボン素材製の競技用ソフトバドミントンラケットであって、
前記ラケットは、６歳以上の年齢段階に応じて、設けられた８ＬＷ／９Ｕ・７ＬＷ／８Ｕ・６ＬＷ／７Ｕ・５ＬＷ／６Ｕ・５ＬＷ／５Ｕの５サイズラケットの外形寸法が、８ＬＷ／９Ｕ・７ＬＷ／８Ｕ・６ＬＷ／７Ｕの３サイズラケットを段別に短縮し、ヘッドフレームにも設けられた段別に縮小の対策を有し、
前記５サイズ全てのヘッドフレームの内部空間が同一内径寸法に設けられ、
前記５サイズラケットのヘッドフレームの重さを軽減する為に、５ＬＷ／６Ｕから一段ずつ肉厚を薄くに設けられと、を有し、
前記５サイズラケットのフレーム内径と肉厚さによる大きいサイズから小さいサイズへ外径が一段ずつ細くに形成されたでのフレームと、を備え、
前記の５サイズラケットヘッドは、５ＬＷ／５Ｕと５ＬＷ／６Ｕサイズラケットが、従来の７６箇グロメットに使用されたバドミントンラケットよりグロメットが減少傾向に設けられ、６ＬＷ・７ＬＷ・８ＬＷサイズのヘッドフレームサイズの段別による、グロメットが一段ずつに段段減少されに設けられ、
前記グロメットの減少事による、縦向きと横向きのストリングの本数がグロメットの個数によって、サイズ段別に減少されと、を備え、
前記のストリングの減少による縦と横ストリングが交差に編み形成出来た正方形網目が、大サイズから小サイズへ段々拡大のような編み目網状打球面を形成されと、を有し、
前記５ＬＷ／５Ｕサイズラケットのヘッドフレーム先端の中空内部に３〜７ｇの軟質鉛の重りを配置する事による、成人男性用ラケットのハンマー部を形成される事と、を備える、
ことを特徴とするカーボン素材製の競技用ソフトバドミントンラケット。
【請求項４】
請求項１又は請求項３記載のカーボン素材製の競技用ソフトバドミントンラケットであって、
前記５サイズのラケットは、環状ヘッドを支持するシャフトの内径が全て同一寸法に設けられと、を有し、
ラケットの重さを小サイズへ段別軽減為に、シャフトの肉厚さを、５ＬＷ／５Ｕのサイズの肉厚からを一段ずつ薄くに設けられと、を有し、
前記シャフトの内径とサイズ段別の肉厚による、シャフトの外径寸法を段別に細くに形成されと、を有し、
シャフトの長さに対して、６ＬＷ・７ＬＷ・８ＬＷサイズのシャフトがサイズ段別に応じて短く設けられ、
前記５サイズラケットのシャフト軸方向の先端（ラケットの頸部位）に、楕円形状部分を形成されているシャフトの特殊治具丸芯棒と楕円形成加圧器による楕円形状に変形させ、楕円形状の短径軸が両面打球面に向き方向で設けられた曲げ弾性頸部と、を備える、
ことを特徴とするカーボン素材製の競技用ソフトバドミントンラケット。
【請求項５】
請求項１、請求項３又は請求項４記載のカーボン素材製の競技用ソフトバドミントンラケットであって、
ラケットを操作するグリップ部の前半部分の偏形八角棒の対角面の４面横幅を狭くさせる事による、打球面側２面と側面側の２面平面横幅が広くになり、グリップの先端から約３分の２の処に削る加工による八面横幅が狭くになる為細くに形成され、
中間部位が細い事による前半部の中間に大きく隆起形状を形成されと、を有し、
グリップのエンド部位が、前半部により大きく隆起形状を形成為二段隆起のような曲線形状を具備する、
ことを特徴とするカーボン素材製の競技用ソフトバドミントンラケット。
【手続補正２】
【補正対象書類名】明細書
【補正対象項目名】００１５
【補正方法】変更
【補正の内容】
【００１５】
≪ラケットのサイズ記号について、例えば１１ＬＷ／１２Ｕを例に説明、Ｌは、全長３２５ｍｍ、Ｗは、幅１３５ｍｍ（ヘッドの幅）、Ｕは、バドミントンラケット総重量の記号に基づき、サイズが５ｇずつ刻みの事です。１２Ｕは４０〜４４ｇです。≫
本発明は、上記課題事情に於いて、目的を達成するため、発明のソフトバドミントン用ソフトバドミントンラケットセットであって、
幼い子供の発達段階に於いて、２歳〜５歳の幼児期に遊びながら興味を持たせる段階のため、使用のラケットは強化プラスチックやポリプロピレン（ＰＰ）素材で成形し、ラケット競技活動を始められる６歳から成人競技者まで使用の競技用ラケットがカーボン素材を使用に製造する事と、を有し、
幼い子供達の成長に伴い、ラケットのサイズも変わる為、ラケットを８段サイズ設けられ、年齢に対応する目安サイズは、
２歳用１１ＬＷ／１２Ｕ全長３２５ｍｍ、幅１３５ｍｍ、重量４０〜４４ｇ・３歳用１０ＬＷ／１１Ｕ全長４００ｍｍ、幅１４５ｍｍ、重量４５〜４９ｇ・４〜５歳用９ＬＷ／１０Ｕ全長４７５ｍｍ、幅１６０ｍｍ、重量５０〜５４ｇ・６〜７歳用が８ＬＷ／９Ｕ全長５２５ｍｍ、幅１７５ｍｍ、重量５５〜５９ｇ・８〜９歳用が７ＬＷ／８Ｕ全長５７５ｍｍ、幅１８５ｍｍ、重量６０〜６４ｇ・１０〜１１歳用が６ＬＷ／７Ｕ全長６２５ｍｍ、幅１９５ｍｍ、重量６５〜６９ｇ・１２〜１７歳が成人女性と同じ５ＬＷ／６Ｕ全長６７５ｍｍ、幅２１０ｍｍ、重量７０〜７４ｇ・成人男性が５ＬＷ／５Ｕ全長６７５ｍｍ、幅２１０ｍｍ、重量７５〜７９ｇサイズと、８サイズを備える、
ことを特徴とするソフトバドミントンラケットセットが提供される。
【手続補正３】
【補正対象書類名】明細書
【補正対象項目名】００１６
【補正方法】変更
【補正の内容】
【００１６】
また、上述の発明に於いて、ＰＰ素材製のソフトバドミントンラケットであって、
ＰＰ素材製のストリングを有する楕円状ヘッドフレーム部を、断面Ｈ形状に成形されると、を有し、
前記ヘッドフレーム部に接合された先端が細く尾端が太い形状のシャフト部を、断面Ｈ形状に成形され、
シャフト部に接合された八角形筒状グリップ部に軽くする為中空状を設けられると、を備え、
更に、緩衝性能を持つ発泡ゴムグリップカバー部を設けられると、を備える、
ことを特徴とするＰＰ素材製のソフトバドミントンラケット構成とする事が出来る。
【手続補正４】
【補正対象書類名】明細書
【補正対象項目名】００１７
【補正方法】変更
【補正の内容】
【００１７】
また、上述の発明に於いて、カーボン素材製の競技用ソフトバドミントンラケットであって、
前記ラケットは、６歳以上の年齢段階に応じて、設けられた８ＬＷ／９Ｕ・７ＬＷ／８Ｕ・６ＬＷ／７Ｕ・５ＬＷ／６Ｕ・５ＬＷ／５Ｕの５サイズラケットの外形寸法が、８ＬＷ／９Ｕ・７ＬＷ／８Ｕ・６ＬＷ／７Ｕの３サイズラケットを段別に短縮し、ヘッドフレームにも設けられた段別に縮小の対策を有し、
前記５サイズ全てのヘッドフレームの内部空間が同一内径寸法に設けられ、
前記５サイズラケットのヘッドフレームの重さを軽減する為に、５ＬＷ／６Ｕから一段ずつ肉厚を薄くに設けられと、を有し、
前記５サイズラケットのフレーム内径と肉厚さによる大きいサイズから小さいサイズへ外径が一段ずつ細くに形成されたでのフレームと、を備え、
前記の５サイズラケットヘッドは、５ＬＷ／５Ｕと５ＬＷ／６Ｕサイズラケットが、従来の７６箇グロメットに使用されたバドミントンラケットよりグロメットが減少傾向に設けられ、６ＬＷ・７ＬＷ・８ＬＷサイズのヘッドフレームサイズの段別による、グロメットが一段ずつに段段減少されに設けられ、
前記グロメットの減少事による、縦向きと横向きのストリングの本数がグロメットの個数によって、サイズ段別に減少されと、を備え、
前記のストリングの減少による縦と横ストリングが交差に編み形成出来た正方形網目が、大サイズから小サイズへ段々拡大のような編み目網状打球面を形成されと、を有し、
前記５ＬＷ／５Ｕサイズラケットのヘッドフレーム先端の中空内部に３〜７ｇの軟質鉛の重りを配置する事による、成人男性用ラケットのハンマー部を形成される事と、を備える、
ことを特徴とするカーボン素材製の競技用ソフトバドミントンラケット構成とする事が出来る。
【手続補正５】
【補正対象書類名】明細書
【補正対象項目名】００１８
【補正方法】変更
【補正の内容】
【００１８】
また、上述の発明に於いて、カーボン素材製の競技用ソフトバドミントンラケットであって、
前記５サイズのラケットは、環状ヘッドを支持するシャフトの内径が全て同一寸法に設けられと、を有し、
ラケットの重さを小サイズへ段別軽減為に、シャフトの肉厚さを、５ＬＷ／５Ｕのサイズの肉厚からを一段ずつ薄くに設けられと、を有し、
前記シャフトの内径とサイズ段別の肉厚による、シャフトの外径寸法を段別に細くに形成されと、を有し、
シャフトの長さに対して、６ＬＷ・７ＬＷ・８ＬＷサイズのシャフトがサイズ段別に応じて短く設けられ、
前記５サイズラケットのシャフト軸方向の先端（ラケットの頸部位）に、楕円形状部分を形成されているシャフトの特殊治具丸芯棒と楕円形成加圧器による楕円形状に変形させ、楕円形状の短径軸が両面打球面に向き方向で設けられた曲げ弾性頸部と、を備える、
ことを特徴とするカーボン素材製の競技用ソフトバドミントンラケット構成とする事が出来る。
【手続補正６】
【補正対象書類名】明細書
【補正対象項目名】００１９
【補正方法】変更
【補正の内容】
【００１９】
本発明のカーボン素材製の競技用ソフトバドミントンラケットであって、
ラケットを操作するグリップ部の前半部分の偏形八角棒の対角面の４面横幅を狭くさせる事による、打球面側２面と側面側の２面平面横幅が広くになり、グリップの先端から約３分の２の処に削る加工による八面横幅が狭くになる為細くに形成され、
中間部位が細い事による前半部の中間に大きく隆起形状を形成されと、を有し、
グリップのエンド部位が、前半部により大きく隆起形状を形成為二段隆起のような曲線形状を具備する、
ことを特徴とするカーボン素材製の競技用ソフトバドミントンラケットを構成とすることが出来る。
【手続補正７】
【補正対象書類名】明細書
【補正対象項目名】００４５
【補正方法】変更
【補正の内容】
【００４５】
本実施は幼い子供達の発達段階に応じて、男子成人から６歳までの競技者ラケットを選び目安の参考サイズを５段提供する。
2020048787.tif 000059
上表ラケットサイズでは、バドミントンラケットのサイズに基づき派生出来たものので、バドミントンラケットのサイズは総重量表示する記号ですが、本発明のソフトバドミントンラケットのサイズが違って、重さだけではなく、長さと幅のサイズにも示される。５ＬＷ／５Ｕに例擧すると、Ｌは全長６７５ｍｍです、Ｗはヘッドの幅２０５〜２１０ｍｍです、５Ｕは、バドミントンラケットの重量サイズ７５〜７９ｇをそのまま使用している。
全長６７５ｍｍの５ＬＷ／６Ｕから８ＬＷ／９Ｕへ３段階同じ段差で一段ずつ段段短縮５０ｍｍ設けている。６歳から１２歳までは４サイズラケットに設けられているですが、もしくは３本を増やして、６、７、８、９、１０、１１、１２歳まで各一本ずつでも良い。
【手続補正８】
【補正対象書類名】明細書
【補正対象項目名】００４６
【補正方法】変更
【補正の内容】
【００４６】
≪ラケット１００について、構成の各部を概略説明。≫
図９は、ラケット１００の構成を示す正面図である。ソフトバドミントンラケット１００は、ヘッド部１２０と、シャフト部１３０と、グリップ部１４０とを有している。  
ラケット１００の全長６７５ｍｍ、幅２０５〜２１０ｍｍとなっている。環状ヘッド部１２０のフレーム部（打球面枠）１２１の肉厚み１.０ｍｍにとする、先端中空内部に軟質鉛の重りを３〜７ｇ程度入れつけることで、（成人男性用ラケットのみ）ハンマーのような打球威力発揮できるハンマー部１２２を形成さてれる。打球面改良為グロメットとストリング減少され、縦ストリング部１２３と横ストリング部１２４がフレーム部１２１へ繋がれていて、そして、交互に交差編み合わせた網状打球面が形成される。
ヘッド部１２０の下端とシャフト部１３０の先端部１３１―Ｆ（図１１シャフト部詳細示すである）繋ぐ為形成されたＴ形状交差点の内部にＴ形状ジョイント部１２５を設けられる（従来バドミントンラケットの強固な接合方法）。接合されたシャフトの先端のラケット頸当たる部位に１５〜３０ｍｍ長さ部分を楕円形に変形させた曲げ弾性頸部１３２が設けられている。
シャフト部１３０の尾端部１３１とラケットを操作するグリップ部１４０接続され、太いグリップ部と細いシャフト部が協和性を見出せる為に、グリップ１４０の先端をテーパー形状形成され、テーパー状部に同様形状のグリップキャップ部１４１を装着され、グリップ本体が扁形の八角形曲線棒形状に形成、前半部の中央部位に、大きく隆起での形状を形成され事による、機敏操作部１４２を設けられている。グリップ腰部位に細くに形成され事による薬指と小指操作部１４５を設けられ、グリップのエンド部が扁形の八角形大きく隆起での形状を形成され事による、パワーエンド部１４６を設けられ、二段隆起曲線形状での二段握り攻守兼備機能を具備するグリップ部１４０が形成される。上述の構成要素を備えてカーボン素材製競技用ソフトバドミントンラケットを構成出来る。